(57)【要約】  アップリンクグラント情報を取得するための方法、ＵＥ、及び基地局が提供され、方法は、ダウンリンク制御チャネルのコードチャネル番号を含む構成信号をＵＥによって取得する段階と、構成信号に従って、ダウンリンク制御チャネルのうち少なくとも１つのコードチャネル上で、アップリンクグラント情報を有するチャネルを監視する段階とを含む。本発明の複数の実施形態適用することによってＨＳＵＰＡを実行する間、ＵＥによってサポートされるダウンリンク制御チャネルの複数のコードチャネルリソースは、アップリンク制御チャネルの複数のコードチャネルリソースより多いので、アップリンクグラント情報を有するチャネルが、ダウンリンク制御チャネルのコードチャネルリソースを用いることによって送信されると、システムによってＵＥをスケジューリングする柔軟性が向上し、ダウンリンクコードチャネルリソースのオーバーヘッドも減少し得る。
2016541176.tif 000002
【特許請求の範囲】
【請求項１】
アップリンクグラント情報を取得するための方法であって、前記方法は、
ユーザ機器ＵＥにより、構成信号を取得する段階であって、前記構成信号はダウンリンク制御チャネルのコードチャネル番号を含む、取得する段階と、
前記ＵＥにより、前記構成信号に従って、前記ダウンリンク制御チャネルのうち少なくとも１つのコードチャネル上でアップリンクグラント情報を有するチャネルを監視する段階と、
を備える、
方法。
【請求項２】
前記ダウンリンク制御チャネルは、高速共有制御チャネルＨＳ−ＳＣＣＨであり、
前記アップリンクグラント情報を有する前記チャネルは、
チャネルフォーマットが拡張専用チャネル絶対グラントチャネルＥ−ＡＧＣＨのチャネルフォーマットと同一であるチャネル、又はチャネルフォーマットがＨＳ−ＳＣＣＨのチャネルフォーマットと同一であるチャネルを有する、
請求項１に記載の方法。
【請求項３】
前記アップリンクグラント情報を有する前記チャネルのチャネルフォーマットが、Ｅ−ＡＧＣＨのチャネルフォーマットと同一である場合に、前記ＵＥにより、前記構成信号に従って、前記ダウンリンク制御チャネルのうち少なくとも１つのコードチャネル上で、アップリンクグラント情報を有するチャネルを監視する前記段階は、
前記ＵＥにより、前記構成信号に含まれる、全てのＨＳ−ＳＣＣＨの複数のコードチャネル番号に従って、前記全てのＨＳ−ＳＣＣＨの前記複数のコードチャネル番号に対応する複数のコードチャネルの全てのコードサブチャネル上で、前記アップリンクグラント情報を有する前記チャネルを監視する段階、又は、
前記ＵＥにより、ネットワークデバイスによって送信された通知信号に示される前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上で、前記アップリンクグラント情報を有する前記チャネルを監視する段階、又は、
前記ＵＥにより、前記ＵＥ及びネットワークデバイスによって事前に合意された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上で、前記アップリンクグラント情報を有する前記チャネルを監視する段階を含む、
請求項２に記載の方法。
【請求項４】
前記アップリンクグラント情報を有する前記チャネルのチャネルフォーマットが、Ｅ−ＡＧＣＨのチャネルフォーマットと同一である場合に、前記ＵＥにより、前記構成信号に従って、前記ダウンリンク制御チャネルのうち少なくとも１つのコードチャネル上で、アップリンクグラント情報を有するチャネルを監視する前記段階は、
前記ＵＥにより、時間識別子又はＵＥ識別子に従って、前記構成信号に含まれる複数のＨＳ−ＳＣＣＨの複数のコードチャネル番号から、各サブフレームにおいて監視される必要がある少なくとも１つのＨＳ−ＳＣＣＨのコードチャネル番号を決定する段階であって、前記時間識別子はフレーム番号及び／又はサブフレーム番号を含む、決定する段階と、
前記ＵＥにより、前記少なくとも１つのＨＳ−ＳＣＣＨの決定された前記コードチャネル番号に対応するＨＳ−ＳＣＣＨコードチャネルのうち少なくとも１つのコードサブチャネル上で、前記アップリンクグラント情報を有する前記チャネルを監視する段階と、
を有する、
請求項２に記載の方法。
【請求項５】
前記アップリンクグラント情報を有する前記チャネルのチャネルフォーマットが、ＨＳ−ＳＣＣＨのチャネルフォーマットと同一である場合に、前記ＵＥにより、前記構成信号に従って、前記ダウンリンク制御チャネルのうち少なくとも１つのコードチャネル上で、アップリンクグラント情報を有するチャネルを監視する前記段階は、
ＨＳ−ＳＣＣＨが、前記構成信号に従って、ＨＳ−ＳＣＣＨコードチャネル上で監視することにより取得される場合に、前記ＵＥにより、前記ＨＳ−ＳＣＣＨが状態を有するアップリンクグラント情報を満たすか否かを検出する段階と、
検出結果が、前記ＨＳ−ＳＣＣＨは状態を有する前記アップリンクグラント情報を満たすという場合に、監視することにより取得された前記ＨＳ−ＳＣＣＨは前記アップリンクグラント情報を有する前記チャネルであることを決定する段階と、
を有する、
請求項２に記載の方法。
【請求項６】
前記検出結果は、状態を有する前記アップリンクグラント情報を前記ＨＳ−ＳＣＣＨが満たすということは、
前記検出結果は、ネットワークデバイスによって予め構成された無線ネットワーク一時識別子ＲＮＴＩを前記ＨＳ−ＳＣＣＨが含むということ、又は、
前記検出結果は、監視することにより取得された前記ＨＳ−ＳＣＣＨの前記ＨＳ−ＳＣＣＨコードチャネルのコードチャネル番号が予め構成されたコードチャネル番号であるということ、又は、
前記検出結果は、前記ＨＳ−ＳＣＣＨの予め設定されたビットのビット値が予め定められたビット値と同一であるということを含む、
請求項５に記載の方法。
【請求項７】
ユーザ機器ＵＥであって、
構成信号を取得するよう構成された取得ユニットであって、前記構成信号はダウンリンク制御チャネルのコードチャネル番号を含む、取得ユニットと、
前記取得ユニットによって取得された前記構成信号に従って、前記ダウンリンク制御チャネルのうち少なくとも１つのコードチャネル上で、アップリンクグラント情報を有するチャネルを監視するよう構成された監視ユニットと、
を備える、
ＵＥ。
【請求項８】
前記ダウンリンク制御チャネルはＨＳ−ＳＣＣＨであり、
前記アップリンクグラント情報を有する前記チャネルは、
チャネルフォーマットが拡張専用チャネル絶対グラントチャネルＥ−ＡＧＣＨのチャネルフォーマットと同一であるチャネル、又はチャネルフォーマットがＨＳ−ＳＣＣＨのチャネルフォーマットと同一であるチャネルを有する、
請求項７に記載のＵＥ。
【請求項９】
前記アップリンクグラント情報を有する前記チャネルのチャネルフォーマットが、Ｅ−ＡＧＣＨのチャネルフォーマットと同一である場合に、前記監視ユニットは、次の複数のサブユニットのうち少なくとも１つを有し、
前記複数のサブユニットは、
前記構成信号に含まれる、全てのＨＳ−ＳＣＣＨの複数のコードチャネル番号に従って、前記全てのＨＳ−ＳＣＣＨの前記複数のコードチャネル番号に対応する複数のコードチャネルの全てのコードサブチャネル上で、前記アップリンクグラント情報を有する前記チャネルを監視するよう構成された第１監視サブユニットと、
ネットワークデバイスによって送信された通知信号に示される前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上で、前記アップリンクグラント情報を有する前記チャネルを監視するよう構成された第２監視サブユニットと、
前記ＵＥ及びネットワークデバイスによって事前に合意された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上で、前記アップリンクグラント情報を有する前記チャネルを監視するよう構成された第３監視サブユニットとである、
請求項８に記載のＵＥ。
【請求項１０】
前記アップリンクグラント情報を有する前記チャネルのチャネルフォーマットが、Ｅ−ＡＧＣＨのチャネルフォーマットと同一である場合に、前記監視ユニットは、
時間識別子又はＵＥ識別子に従って、前記構成信号に含まれる、複数のＨＳ−ＳＣＣＨの複数のコードチャネル番号から、各サブフレームにおいて監視される必要がある少なくとも１つのＨＳ−ＳＣＣＨのコードチャネル番号を決定するよう構成されたコードチャネル番号決定サブユニットであって、前記時間識別子はフレーム番号及び／又はサブフレーム番号を含む、コードチャネル番号決定サブユニットと、
前記コードチャネル番号決定サブユニットによって決定された前記少なくとも１つのＨＳ−ＳＣＣＨの前記コードチャネル番号に対応するＨＳ−ＳＣＣＨコードチャネルのうち少なくとも１つのコードサブチャネル上で、前記アップリンクグラント情報を有する前記チャネルを監視するよう構成された第４監視サブユニットと、
を有する、
請求項８に記載のＵＥ。
【請求項１１】
前記アップリンクグラント情報を有する前記チャネルのチャネルフォーマットが、ＨＳ−ＳＣＣＨのチャネルフォーマットと同一である場合に、前記監視ユニットは、
前記構成信号に従って、ＨＳ−ＳＣＣＨコードチャネル上でＨＳ−ＳＣＣＨを監視するよう構成された第５監視サブユニットと、
前記第５監視サブユニットによって監視することにより取得された前記ＨＳ−ＳＣＣＨが、状態を有するアップリンクグラント情報を満たすか否かを検出するよう構成された状態検出サブユニットと、
前記状態検出サブユニットの検出結果が、前記ＨＳ−ＳＣＣＨは状態を有する前記アップリンクグラント情報を満たすという場合に、監視することにより取得された前記ＨＳ−ＳＣＣＨは前記アップリンクグラント情報を有する前記チャネルであると決定するよう構成されたチャネル決定サブユニットと、
を有する、
請求項２に記載のＵＥ。
【請求項１２】
前記検出結果は、状態を有する前記アップリンクグラント情報を前記ＨＳ−ＳＣＣＨが満たすということは、
前記検出結果は、ネットワークデバイスによって予め構成された無線ネットワーク一時識別子ＲＮＴＩを前記ＨＳ−ＳＣＣＨが含むということ、又は、
前記検出結果は、監視することにより取得された前記ＨＳ−ＳＣＣＨの前記ＨＳ−ＳＣＣＨコードチャネルのコードチャネル番号が予め構成されたコードチャネル番号であるということ、又は、
前記検出結果は、前記ＨＳ−ＳＣＣＨの予め設定されたビットのビット値が予め定められたビット値と同一であるということを含む、
請求項１１に記載のＵＥ。
【請求項１３】
ユーザ機器ＵＥであって、
前記ＵＥは無線送信機及びプロセッサを備え、
前記無線送信機は、構成信号を取得するよう構成され、前記構成信号は、ダウンリンク制御チャネルのコードチャネル番号を含み、
前記プロセッサは、前記構成信号に従って、前記ダウンリンク制御チャネルのうち少なくとも１つのコードチャネル上で、アップリンクグラント情報を有するチャネルを監視するよう構成される、
ＵＥ。
【請求項１４】
前記ダウンリンク制御チャネルは高速共有制御チャネルＨＳ−ＳＣＣＨであり、
前記アップリンクグラント情報を有する前記チャネルは、
チャネルフォーマットが拡張専用チャネル絶対グラントチャネルＥ−ＡＧＣＨのチャネルフォーマットと同一であるチャネル、又はチャネルフォーマットがＨＳ−ＳＣＣＨのチャネルフォーマットと同一であるチャネルを含む、
請求項１３に記載のＵＥ。
【請求項１５】
前記プロセッサは、
前記アップリンクグラント情報を有する前記チャネルのチャネルフォーマットが、Ｅ−ＡＧＣＨのチャネルフォーマットと同一である場合に、次の複数のやり方のうち少なくとも１つにより、前記構成信号に従って、前記ダウンリンク制御チャネルのうち前記少なくとも１つのコードチャネル上で、前記アップリンクグラント情報を有する前記チャネルを監視するよう特に構成され、
前記複数のやり方は、
前記構成信号に含まれる、全てのＨＳ−ＳＣＣＨの複数の複数のコードチャネル番号に従って、前記全てのＨＳ−ＳＣＣＨの前記コードチャネル番号に対応する複数のコードチャネルの全てのコードサブチャネル上で、前記アップリンクグラント情報を有する前記チャネルを監視するやり方と、
ネットワークデバイスによって送信された通知信号に示された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上で、前記アップリンクグラント情報を有する前記チャネルを監視するやり方と、
前記ＵＥ及びネットワークデバイスによって事前に合意された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上で、前記アップリンクグラント情報を有する前記チャネルを監視するやり方とである、
請求項１４に記載のＵＥ。
【請求項１６】
前記プロセッサは、
前記アップリンクグラント情報を有する前記チャネルのチャネルフォーマットが、Ｅ−ＡＧＣＨのチャネルフォーマットと同一である場合に、時間識別子又はＵＥ識別子に従って、前記構成信号に含まれる複数のＨＳ−ＳＣＣＨの複数のコードチャネル番号から、各サブフレームにおいて監視される必要がある少なくとも１つのＨＳ−ＳＣＣＨのコードチャネル番号を決定して、前記少なくとも１つのＨＳ−ＳＣＣＨの決定された前記コードチャネル番号に対応するＨＳ−ＳＣＣＨコードチャネルのうち少なくとも１つのコードサブチャネル上で、前記アップリンクグラント情報を有する前記チャネルを監視するよう特に構成され、
前記時間識別子は、フレーム番号及び／又はサブフレーム番号を含む、
請求項１４に記載のＵＥ。
【請求項１７】
前記プロセッサは、
前記アップリンクグラント情報を有する前記チャネルのチャネルフォーマットが、ＨＳ−ＳＣＣＨのチャネルフォーマットと同一である場合に、ＨＳ−ＳＣＣＨが、前記構成信号に従って、ＨＳ−ＳＣＣＨコードチャネル上で監視することにより取得されると、前記ＨＳ−ＳＣＣＨが状態を有するアップリンクグラント情報を満たすか否かを検出し、
検出結果が、前記ＨＳ−ＳＣＣＨは状態を有する前記アップリンクグラント情報を満たすという場合に、監視することにより取得された前記ＨＳ−ＳＣＣＨは前記アップリンクグラント情報を有する前記チャネルであると決定するよう特に構成される、
請求項１４に記載のＵＥ。
【請求項１８】
前記検出結果は、状態を有する前記アップリンクグラント情報を前記ＨＳ−ＳＣＣＨが満たすということは、
前記検出結果は、ネットワークデバイスによって予め構成された無線ネットワーク一時識別子ＲＮＴＩを前記ＨＳ−ＳＣＣＨが含むということ、又は、
前記検出結果は、監視することにより取得された前記ＨＳ−ＳＣＣＨの前記ＨＳ−ＳＣＣＨコードチャネルのコードチャネル番号が予め構成されたコードチャネル番号であるということ、又は、
前記検出結果は、前記ＨＳ−ＳＣＣＨの予め設定されたビットのビット値が予め定められたビット値と同一であるということを含む、
請求項１７に記載のＵＥ。
【請求項１９】
アップリンクグラント情報を取得するための方法であって、前記方法は、
基地局により構成信号を取得する段階であって、前記構成信号は、ＵＥが監視する必要があるダウンリンク制御チャネルのコードチャネル番号を含む、取得する段階と、
前記基地局により、前記構成信号に従って、前記ダウンリンク制御チャネルのうち少なくとも１つのコードチャネル上に、前記ＵＥのアップリンクグラント情報を有するチャネルを送信する段階であって、これにより、前記ＵＥは、前記ダウンリンク制御チャネルのうち前記少なくとも１つのコードチャネル上で、前記アップリンクグラント情報を有する前記チャネルを監視する、送信する段階と、
を備える、
方法。
【請求項２０】
前記ダウンリンク制御チャネルは、高速共有制御チャネルＨＳ−ＳＣＣＨであり、
前記アップリンクグラント情報を有する前記チャネルは、
チャネルフォーマットが拡張専用チャネル絶対グラントチャネルＥ−ＡＧＣＨのチャネルフォーマットと同一であるチャネル、又はチャネルフォーマットがＨＳ−ＳＣＣＨのチャネルフォーマットと同一であるチャネルを有する、
請求項１９に記載の方法。
【請求項２１】
前記ＵＥの前記アップリンクグラント情報を有する前記チャネルのチャネルフォーマットが、Ｅ−ＡＧＣＨのチャネルフォーマットと同一である場合に、前記基地局により、前記構成信号に従って、前記ダウンリンク制御チャネルのうち少なくとも１つのコードチャネル上に、前記ＵＥのアップリンクグラント情報を有するチャネルを送信する前記段階は、
前記基地局により、前記構成信号に含まれる、全てのＨＳ−ＳＣＣＨの複数のコードチャネル番号に従って、前記全てのＨＳ−ＳＣＣＨの前記コードチャネル番号に対応する複数のコードチャネルの全てのコードサブチャネル上に、前記ＵＥの前記アップリンクグラント情報を有する前記チャネルを送信する段階、又は、
前記基地局により、前記ＵＥに送信された通知信号に示された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上に、前記ＵＥの前記アップリンクグラント情報を有する前記チャネルを送信する段階、又は、
前記基地局により、前記基地局及び前記ＵＥによって事前に合意された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上に、前記ＵＥの前記アップリンクグラント情報を有する前記チャネルを送信する段階を有する、
請求項２０に記載の方法。
【請求項２２】
前記アップリンクグラント情報を有する前記チャネルのチャネルフォーマットが、Ｅ−ＡＧＣＨのチャネルフォーマットと同一である場合に、前記基地局により、前記構成信号に従って、前記ダウンリンク制御チャネルのうち少なくとも１つのコードチャネル上に、前記ＵＥのアップリンクグラント情報を有するチャネルを送信する前記段階は、
前記基地局により、前記ＵＥの時間識別子又はＵＥ識別子に従って、前記構成信号に含まれる複数のＨＳ−ＳＣＣＨの複数のコードチャネル番号から、各サブフレームにおいて前記ＵＥが監視する必要がある少なくとも１つのＨＳ−ＳＣＣＨのコードチャネル番号を決定する段階であって、前記時間識別子は、フレーム番号及び／又はサブフレーム番号を含む、決定する段階と、
前記基地局により、前記少なくとも１つのＨＳ−ＳＣＣＨの決定された前記コードチャネル番号に対応するＨＳ−ＳＣＣＨコードチャネルのうち少なくとも１つのコードサブチャネル上に、前記ＵＥの前記アップリンクグラント情報を有する前記チャネルを送信する段階と、
を有する、
請求項２０に記載の方法。
【請求項２３】
前記アップリンクグラント情報を有する前記チャネルのチャネルフォーマットが、ＨＳ−ＳＣＣＨのチャネルフォーマットと同一である場合に、前記基地局により、前記構成信号に従って、前記ダウンリンク制御チャネルのうち少なくとも１つのコードチャネル上に、前記ＵＥのアップリンクグラント情報を有するチャネルを送信する前記段階は、
前記基地局により、前記ＵＥの前記アップリンクグラント情報を有するのに用いられるＨＳ−ＳＣＣＨを生成する段階であって、前記ＨＳ−ＳＣＣＨは、状態を有するアップリンクグラント情報を満たす、生成する段階と、
前記基地局により、前記構成信号に従って、ＨＳ−ＳＣＣＨコードチャネル上に、前記ＵＥの前記アップリンクグラント情報を有するのに用いられる前記ＨＳ−ＳＣＣＨを送信する段階と、
を有する、
請求項２０に記載の方法。
【請求項２４】
前記ＨＳ−ＳＣＣＨが状態を有するアップリンクグラント情報を満たすということは、
前記ＨＳ−ＳＣＣＨが予め構成された無線ネットワーク一時識別子ＲＮＴＩを含むということ、又は、
前記ＨＳ−ＳＣＣＨのＨＳ−ＳＣＣＨコードチャネルのコードチャネル番号が予め構成されたコードチャネル番号であること、又は、
前記ＨＳ−ＳＣＣＨの予め設定されたビットのビット値が予め定められたビット値と同一であることを含む、
請求項２３に記載の方法。
【請求項２５】
構成信号を取得するよう構成された取得ユニットであって、前記構成信号は、ＵＥが監視する必要があるダウンリンク制御チャネルのコードチャネル番号を含む、取得ユニットと、
前記取得ユニットによって取得された前記構成信号に従って、前記ダウンリンク制御チャネルのうち少なくとも１つのコードチャネル上に、前記ＵＥのアップリンクグラント情報を有するチャネルを送信するよう構成された送信ユニットであって、これにより、前記ＵＥは、前記ダウンリンク制御チャネルの前記少なくとも１つのコードチャネル上で、前記アップリンクグラント情報を有する前記チャネルを監視する、送信ユニットと
を備える、
基地局。
【請求項２６】
前記ダウンリンク制御チャネルは高速共有制御チャネルＨＳ−ＳＣＣＨであり、
前記アップリンクグラント情報を有する前記チャネルは、
チャネルフォーマットが拡張専用チャネル絶対グラントチャネルＥ−ＡＧＣＨのチャネルフォーマットと同一であるチャネル、又はチャネルフォーマットがＨＳ−ＳＣＣＨのチャネルフォーマットと同一であるチャネルを有する、
請求項２５に記載の基地局。
【請求項２７】
前記ＵＥの前記アップリンクグラント情報を有する前記チャネルのチャネルフォーマットが、Ｅ−ＡＧＣＨのチャネルフォーマットと同一である場合に、前記送信ユニットは、次の複数のサブユニットのうち少なくとも１つを有し、
前記複数のサブユニットは、
前記構成信号に含まれる、全てのＨＳ−ＳＣＣＨの複数のコードチャネル番号に従って、前記全てのＨＳ−ＳＣＣＨの前記複数のコードチャネル番号に対応する複数のコードチャネルの全てのコードサブチャネル上に、前記ＵＥの前記アップリンクグラント情報を有する前記チャネルを送信するよう構成された第１送信サブユニットと、
前記ＵＥに送信された通知信号に示された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上に、前記ＵＥの前記アップリンクグラント情報を有する前記チャネルを送信するよう構成された第２送信サブユニットと、
前記基地局及び前記ＵＥによって事前に合意された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上に、前記ＵＥの前記アップリンクグラント情報を有する前記チャネルを送信するよう構成された第３送信サブユニットとである、
請求項２６に記載の基地局。
【請求項２８】
前記アップリンクグラント情報を有する前記チャネルのチャネルフォーマットが、Ｅ−ＡＧＣＨのチャネルフォーマットと同一である場合に、前記送信ユニットは、
前記ＵＥの時間識別子又はＵＥ識別子に従って、前記構成信号に含まれる、複数のＨＳ−ＳＣＣＨの複数のコードチャネル番号から、各サブフレームにおいて前記ＵＥが監視する必要がある、少なくとも１つのＨＳ−ＳＣＣＨのコードチャネル番号を決定するよう構成されたコードチャネル番号決定サブユニットであって、前記時間識別子はフレーム番号及び／又はサブフレーム番号を含む、コードチャネル番号決定サブユニットと、
前記コードチャネル番号決定サブユニットによって決定された、前記少なくとも１つのＨＳ−ＳＣＣＨの前記コードチャネル番号に対応するＨＳ−ＳＣＣＨコードチャネルのうち少なくとも１つのコードサブチャネル上に、前記ＵＥの前記アップリンクグラント情報を有する前記チャネルを送信するよう構成された第４送信サブユニットと、
を有する、
請求項２６に記載の基地局。
【請求項２９】
前記アップリンクグラント情報を有する前記チャネルのチャネルフォーマットが、ＨＳ−ＳＣＣＨのチャネルフォーマットと同一である場合に、前記送信ユニットは、
前記ＵＥの前記アップリンクグラント情報を有するのに用いられるＨＳ−ＳＣＣＨを生成するよう構成されたチャネル生成サブユニットであって、前記ＨＳ−ＳＣＣＨは、状態を有するアップリンクグラント情報を満たす、チャネル生成サブユニットと、
前記チャネル生成サブユニットによって生成され、且つ前記ＵＥの前記アップリンクグラント情報を有するのに用いられる前記ＨＳ−ＳＣＣＨを、ＨＳ−ＳＣＣＨコードチャネル上に、前記構成信号に従って送信するよう構成された第５送信サブユニットと、
を有する、
請求項２６に記載の基地局。
【請求項３０】
前記ＨＳ−ＳＣＣＨが状態を有するアップリンクグラント情報を満たすということは、
前記ＨＳ−ＳＣＣＨが予め構成された無線ネットワーク一時識別子ＲＮＴＩを含むということ、又は、
前記ＨＳ−ＳＣＣＨのＨＳ−ＳＣＣＨコードチャネルのコードチャネル番号が予め構成されたコードチャネル番号であること、又は、
前記ＨＳ−ＳＣＣＨの予め設定されたビットのビット値が予め定められたビット値と同一であることを含む、
請求項２９に記載の基地局。
【請求項３１】
送信機及びプロセッサを備える基地局であって、
前記送信機は、構成信号を取得するよう構成され、前記構成信号は、ＵＥが監視する必要があるダウンリンク制御チャネルのコードチャネル番号を含み、
前記プロセッサは、前記送信機を用いることにより、前記構成信号に従って、前記ダウンリンク制御チャネルのうち少なくとも１つのコードチャネル上に、前記ＵＥのアップリンクグラント情報を有するチャネルを送信するよう構成され、これにより、前記ＵＥは、前記ダウンリンク制御チャネルの前記少なくとも１つのコードチャネル上で、前記アップリンクグラント情報を有する前記チャネルを監視する、
基地局。
【請求項３２】
前記ダウンリンク制御チャネルは高速共有制御チャネルＨＳ−ＳＣＣＨであり、
前記アップリンクグラント情報を有する前記チャネルは、
チャネルフォーマットが拡張専用チャネル絶対グラントチャネルＥ−ＡＧＣＨのチャネルフォーマットと同一であるチャネル、又はチャネルフォーマットがＨＳ−ＳＣＣＨのチャネルフォーマットと同一であるチャネルを有する、
請求項３１に記載の基地局。
【請求項３３】
前記プロセッサは、
前記アップリンクグラント情報を有する前記チャネルのチャネルフォーマットが、Ｅ−ＡＧＣＨのチャネルフォーマットと同一である場合に、次の複数のやり方のうち少なくとも１つにより、前記構成信号に従って、前記ダウンリンク制御チャネルのうち前記少なくとも１つのコードチャネル上に、前記送信機を用いることによって、前記ＵＥの前記アップリンクグラント情報を有する前記チャネルを送信するよう特に構成され、
前記複数のやり方は、
前記構成信号に含まれる、全てのＨＳ−ＳＣＣＨの複数のコードチャネル番号に従って、前記全てのＨＳ−ＳＣＣＨの前記複数のコードチャネル番号に対応する複数のコードチャネルの全てのコードサブチャネル上に、前記送信機を用いることによって、前記ＵＥの前記アップリンクグラント情報を有する前記チャネルを送信するやり方と、
前記基地局により、前記ＵＥに送信された通知信号に示された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上に、前記送信機を用いることによって、前記ＵＥの前記アップリンクグラント情報を有する前記チャネルを送信するやり方と、
基地局により、前記基地局及び前記ＵＥによって事前に合意された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上に、前記送信機を用いることによって、前記ＵＥの前記アップリンクグラント情報を有する前記チャネルを送信するやり方とである、
請求項３２に記載の基地局。
【請求項３４】
前記プロセッサは、
前記アップリンクグラント情報を有する前記チャネルのチャネルフォーマットが、Ｅ−ＡＧＣＨのチャネルフォーマットと同一である場合に、前記ＵＥの時間識別子又はＵＥ識別子に従って、前記構成信号の中に含まれた、複数のＨＳ−ＳＣＣＨの複数のコードチャネル番号から、各サブフレームにおいて前記ＵＥが監視する必要がある少なくとも１つのＨＳ−ＳＣＣＨのコードチャネル番号を決定して、前記少なくとも１つのＨＳ−ＳＣＣＨの決定された前記コードチャネル番号に対応するＨＳ−ＳＣＣＨコードチャネルのうち少なくとも１つのコードサブチャネル上に、前記送信機を用いることによって、前記ＵＥの前記アップリンクグラント情報を有する前記チャネルを送信するよう特に構成され、
前記時間識別子は、フレーム番号及び／又はサブフレーム番号を含む、
請求項３２に記載の基地局。
【請求項３５】
前記プロセッサは、
前記アップリンクグラント情報を有する前記チャネルのチャネルフォーマットが、ＨＳ−ＳＣＣＨのチャネルフォーマットと同一である場合に、前記ＵＥの前記アップリンクグラント情報を有するのに用いられるＨＳ−ＳＣＣＨを生成し、
前記ＵＥの前記アップリンクグラント情報を有するのに用いられる前記ＨＳ−ＳＣＣＨを、前記構成信号に従って、ＨＳ−ＳＣＣＨコードチャネル上に、前記送信機を用いることによって送信するよう特に構成され、
前記ＨＳ−ＳＣＣＨは、状態を有するアップリンクグラント情報を満たす、
請求項３２に記載の基地局。
【請求項３６】
前記ＨＳ−ＳＣＣＨが状態を有するアップリンクグラント情報を満たすということは、
前記ＨＳ−ＳＣＣＨが予め構成された無線ネットワーク一時識別子ＲＮＴＩを含むということ、又は、
前記ＨＳ−ＳＣＣＨのＨＳ−ＳＣＣＨコードチャネルのコードチャネル番号が予め構成されたコードチャネル番号であること、又は、
前記ＨＳ−ＳＣＣＨの予め設定されたビットのビット値が予め定められたビット値と同一であることを含む、
請求項３５に記載の基地局。
【発明の詳細な説明】
【技術分野】
【０００１】
本発明は通信技術の分野に関し、具体的にはアップリンクグラント情報を取得するための方法、ユーザ機器（Ｕｓｅｒ  Ｅｑｕｉｐｍｅｎｔ、ＵＥ）、及び基地局に関する。
【背景技術】
【０００２】
携帯電話加入者の速度に対する増え続ける要求を満たし、且つシステムのスペクトル効率を向上させるべく、高速パケットアクセス（Ｈｉｇｈ  Ｓｐｅｅｄ  Ｐａｃｋｅｔ  Ａｃｃｅｓｓ、ＨＳＰＡ）技術がユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）に導入されており、この技術は、通信システムに高データレート、低遅延、高システム容量を提供するための高速ダウンリンクパケットアクセス（Ｈｉｇｈ  Ｓｐｅｅｄ  Ｄｏｗｎｌｉｎｋ  Ｐａｃｋｅｔ  Ａｃｃｅｓｓ、ＨＳＤＰＡ）及び高速アップリンクパケットアクセス（Ｈｉｇｈ  Ｓｐｅｅｄ  Ｕｐｌｉｎｋ，  Ｐａｃｋｅｔ  Ａｃｃｅｓｓ、ＨＳＵＰＡ）を含んでいる。
【０００３】
ＨＳＤＰＡを実行する間、ネットワークデバイスは、ダウンリンクグラント情報を有するための４つの高速共有制御チャネル（Ｈｉｇｈ  Ｓｐｅｅｄ  Ｓｈａｒｅｄ  Ｃｏｎｔｒｏｌ  Ｃｈａｎｎｅｌ、ＨＳ−ＳＣＣＨ）を構成し、ＵＥは４つのＨＳ−ＳＣＣＨを、各ＨＳ−ＳＣＣＨの伝送時間間隔（Ｔｒａｎｓｍｉｓｓｉｏｎ  Ｔｉｍｅ  Ｉｎｔｅｒｖａｌ、ＴＴＩ）で監視して、４つのＨＳ−ＳＣＣＨから、ＵＥの識別情報を伝達する１つのＨＳ−ＳＣＣＨを取得する。ＨＳＵＰＡを実行する間、ネットワークデバイスは、アップリンクグラント情報を有するための１つの拡張専用チャネル（Ｅｎｈａｎｃｅｄ  Ｄｅｄｉｃａｔｅｄ  Ｃｈａｎｎｅｌ、Ｅ−ＤＣＨ）絶対グラントチャネル（Ｅ−ＤＣＨ  Ａｂｓｏｌｕｔｅ  Ｇｒａｎｔ  Ｃｈａｎｎｅｌ、Ｅ−ＡＧＣＨ）を構成し得る。時分割多重（Ｔｉｍｅ  Ｄｉｖｉｓｉｏｎ  Ｍｕｌｔｉｐｌｅｘｉｎｇ、ＴＤＭ）スケジューリングの要求を満たすべく、ネットワークデバイスは、アップリンクグラント情報を有する複数のＥ−ＡＧＣＨを構成し得るが、ＵＥは各Ｅ−ＡＧＣＨのＴＴＩで１つのＥ−ＡＧＣＨだけを監視する。従来技術においてＨＳＵＰＡを実行する間、ＵＥは１つのＥ−ＡＧＣＨだけを監視するので、ネットワークデバイスは、同一のＥ−ＡＧＣＨを共有する複数のＵＥの中の１つのＵＥだけを一度にスケジューリングし得ることが分かる。従って、システムのスケジューリングの柔軟性は高くない。さらに、ネットワークデバイスが複数のＥ−ＡＧＣＨを構成する場合、システムリソースのオーバーヘッドも増加する。
【発明の概要】
【０００４】
本発明の複数の実施形態は、既存のシステムのスケジューリング柔軟性が高くなく、且つシステムリソースのオーバーヘッドが比較的大きいという問題を解決すべく、アップリンクグラント情報を取得するための方法、ＵＥ、及び基地局を提供する。
【０００５】
先述の複数の技術的問題を解決すべく、本発明の複数の実施形態は、以下の複数の技術的解決手段を開示する。
【０００６】
第１態様に従って、アップリンクグラント情報を取得するための方法が提供され、本方法は以下の段階を含む。
【０００７】
すなわち、ユーザ機器ＵＥによって構成信号を取得する段階であり、構成信号はダウンリンク制御チャネルのコードチャネル番号を含む。
【０００８】
そして、ＵＥにより、構成信号に従って、ダウンリンク制御チャネルのうち少なくとも１つのコードチャネル上で、アップリンクグラント情報を有するチャネルを監視する段階である。
【０００９】
第１態様に関して、第１態様の第１の可能な実施例において、ダウンリンク制御チャネルは高速共有制御チャネルＨＳ−ＳＣＣＨである。
【００１０】
アップリンクグラント情報を有するチャネルは、チャネルフォーマットが拡張専用チャネル絶対グラントチャネルＥ−ＡＧＣＨのチャネルフォーマットと同一であるチャネル、又は、チャネルフォーマットがＨＳ−ＳＣＣＨのチャネルフォーマットと同一であるチャネルを含む。
【００１１】
第１態様の第１の可能な実施例に関して、第１態様の第２の可能な実施例において、アップリンクグラント情報を有するチャネルのチャネルフォーマットがＥ−ＡＧＣＨのチャネルフォーマットと同一である場合に、ＵＥにより、構成信号に従って、ダウンリンク制御チャネルのうち少なくとも１つのコードチャネル上で、アップリンクグラント情報を有するチャネルを監視する段階は、以下の段階を含む。
【００１２】
すなわち、ＵＥにより、構成信号に含まれる、全てのＨＳ−ＳＣＣＨの複数のコードチャネル番号に従って、全てのＨＳ−ＳＣＣＨの複数のコードチャネル番号に対応する複数のコードチャネルの全てのコードサブチャネル上で、アップリンクグラント情報を有するチャネルを監視する段階である。
【００１３】
又は、ＵＥにより、ネットワークデバイスによって送信された通知信号に示された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視する段階である。
【００１４】
又は、ＵＥにより、ＵＥ及びネットワークデバイスによって事前に合意された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視する段階である。
【００１５】
第１態様の第１の可能な実施例に関して、第１態様の第３の可能な実施例において、アップリンクグラント情報を有するチャネルのチャネルフォーマットがＥ−ＡＧＣＨのチャネルフォーマットと同一である場合に、ＵＥにより、構成信号に従って、ダウンリンク制御チャネルのうち少なくとも１つのコードチャネル上で、アップリンクグラント情報を有するチャネルを監視する段階は、以下の段階を含む。
【００１６】
すなわち、ＵＥにより、時間識別子又はＵＥ識別子に従って、構成信号に含まれる複数のＨＳ−ＳＣＣＨの複数のコードチャネル番号から、各サブフレームにおいて監視される必要がある少なくとも１つのＨＳ−ＳＣＣＨのコードチャネル番号を決定する段階であり、時間識別子は、フレーム番号及び／又はサブフレーム番号を含む。
【００１７】
そして、少なくとも１つのＨＳ−ＳＣＣＨの決定されたコードチャネル番号に対応するＨＳ−ＳＣＣＨコードチャネルのうち少なくとも１つのコードサブチャネル上で、ＵＥによって、アップリンクグラント情報を有するチャネルを監視する段階である。
【００１８】
第１態様の第１の可能な実施例に関して、第１態様の第４の可能な実施例において、アップリンクグラント情報を有するチャネルのチャネルフォーマットがＨＳ−ＳＣＣＨのチャネルフォーマットと同一である場合に、ＵＥにより、構成信号に従って、ダウンリンク制御チャネルのうち少なくとも１つのコードチャネル上で、アップリンクグラント情報を有するチャネルを監視する段階は、以下の段階を含む。
【００１９】
すなわち、ＨＳ−ＳＣＣＨが、構成信号に従って、ＨＳ−ＳＣＣＨコードチャネル上で監視することにより取得される場合に、ＵＥにより、ＨＳ−ＳＣＣＨが状態を有するアップリンクグラント情報を満たすか否かを検出する段階。
【００２０】
そして、検出結果が、ＨＳ−ＳＣＣＨは状態を有するアップリンクグラント情報を満たすという場合に、監視することにより取得されたＨＳ−ＳＣＣＨはアップリンクグラント情報を有するチャネルであると決定する段階である。
【００２１】
第１態様に関して、第１態様の第５の可能な実施例において、検出結果は、状態を有するアップリンクグラント情報をＨＳ−ＳＣＣＨが満たすということは、以下のことを含む。
【００２２】
すなわち、検出結果は、ネットワークデバイスによって予め構成された無線ネットワーク一時識別子ＲＮＴＩをＨＳ−ＳＣＣＨが含むということである。
【００２３】
又は、検出結果は、監視することにより取得されたＨＳ−ＳＣＣＨのＨＳ−ＳＣＣＨコードチャネルのコードチャネル番号が、予め構成されたコードチャネル番号であるということである。
【００２４】
又は、検出結果は、ＨＳ−ＳＣＣＨの予め設定されたビットのビット値が、予め定められたビット値と同一であるということである。
【００２５】
第２態様に従って、ユーザ機器ＵＥが提供され、ＵＥは以下のものを含む。
【００２６】
すなわち、構成信号を取得するよう構成された取得ユニットであり、構成信号はダウンリンク制御チャネルのコードチャネル番号を含む。
【００２７】
そして、取得ユニットによって取得された構成信号に従って、ダウンリンク制御チャネルのうち少なくとも１つのコードチャネル上で、アップリンクグラント情報を有するチャネルを監視するよう構成された監視ユニットである。
【００２８】
第２態様に関して、第２態様の第１の可能な実施例において、ダウンリンク制御チャネルはＨＳ−ＳＣＣＨである。
【００２９】
アップリンクグラント情報を有するチャネルは、チャネルフォーマットが拡張専用チャネル絶対グラントチャネルＥ−ＡＧＣＨのチャネルフォーマットと同一であるチャネル、又は、チャネルフォーマットがＨＳ−ＳＣＣＨのチャネルフォーマットと同一であるチャネルを含む。
【００３０】
第２態様の第１の可能な実施例に関して、第２態様の第２の可能な実施例において、アップリンクグラント情報を有するチャネルのチャネルフォーマットがＥ−ＡＧＣＨのチャネルフォーマットと同一である場合に、監視ユニットは次の複数のサブユニットのうち少なくとも１つを含む。
【００３１】
すなわち、構成信号に含まれる、全てのＨＳ−ＳＣＣＨの複数のコードチャネル番号に従って、全てのＨＳ−ＳＣＣＨの複数のコードチャネル番号に対応する複数のコードチャネルの全てのコードサブチャネル上で、アップリンクグラント情報を有するチャネルを監視するよう構成された第１監視サブユニット。
【００３２】
ネットワークデバイスによって送信された通知信号に示された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視するよう構成された第２監視サブユニット。
【００３３】
そして、ＵＥ及びネットワークデバイスによって事前に合意された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視するよう構成された第３監視サブユニットである。
【００３４】
第２態様の第１の可能な実施例に関して、第２態様の第３の可能な実施例において、アップリンクグラント情報を有するチャネルのチャネルフォーマットがＥ−ＡＧＣＨのチャネルフォーマットと同一である場合に、監視ユニットは以下のものを含む。
【００３５】
すなわち、時間識別子又はＵＥ識別子に従って、構成信号に含まれる、ＨＳ−ＳＣＣＨのコードチャネル番号から、各サブフレームにおいて監視される必要がある少なくとも１つのＨＳ−ＳＣＣＨのコードチャネル番号を決定するよう構成されたコードチャネル番号決定サブユニットであり、時間識別子は、フレーム番号及び／又はサブフレーム番号を含む。
【００３６】
そして、コードチャネル番号決定サブユニットによって決定された、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視するよう構成された第４監視サブユニットである。
【００３７】
第２態様の第１の可能な実施例に関して、第２態様の第４の可能な実施例において、アップリンクグラント情報を有するチャネルのチャネルフォーマットがＨＳ−ＳＣＣＨのチャネルフォーマットと同一である場合に、監視ユニットは以下のものを含む。
【００３８】
すなわち、構成信号に従って、ＨＳ−ＳＣＣＨコードチャネル上で、ＨＳ−ＳＣＣＨを監視するよう構成された第５監視サブユニット。
【００３９】
第５監視サブユニットによって監視することにより取得されたＨＳ−ＳＣＣＨが、状態を有するアップリンクグラント情報を満たすか否かを検出するよう構成された状態検出サブユニット。
【００４０】
そして、状態検出サブユニットの検出結果が、ＨＳ−ＳＣＣＨは状態を有するアップリンクグラント情報を満たすという場合に、監視することにより取得されたＨＳ−ＳＣＣＨは、アップリンクグラント情報を有するチャネルであると決定するよう構成されたチャネル決定サブユニットである。
【００４１】
第２態様の第４の可能な実施例に関して、第２態様の第５の可能な実施例において、検出結果は、状態を有するアップリンクグラント情報をＨＳ−ＳＣＣＨが満たすということは、以下のことを含む。
【００４２】
検出結果は、ネットワークデバイスによって予め構成された無線ネットワーク一時識別子ＲＮＴＩをＨＳ−ＳＣＣＨが含むということである。
【００４３】
又は、検出結果は、監視することにより取得されたＨＳ−ＳＣＣＨのＨＳ−ＳＣＣＨコードチャネルのコードチャネル番号が予め構成されたコードチャネル番号であるということである。
【００４４】
又は、検出結果は、ＨＳ−ＳＣＣＨの予め設定されたビットのビット値が予め定められたビット値と同一であるということである。
【００４５】
第３態様に従って、ユーザ機器ＵＥが提供され、ＵＥは無線送信機及びプロセッサを含む。
【００４６】
無線送信機は、構成信号を取得するよう構成され、構成信号は、ダウンリンク制御チャネルのコードチャネル番号を含む。
【００４７】
プロセッサは、構成信号に従って、ダウンリンク制御チャネルのうち少なくとも１つのコードチャネル上で、アップリンクグラント情報を有するチャネルを監視するよう構成される。
【００４８】
第３態様に関して、第３態様の第１の可能な実施例において、ダウンリンク制御チャネルは高速共有制御チャネルＨＳ−ＳＣＣＨである。
【００４９】
アップリンクグラント情報を有するチャネルは、チャネルフォーマットが拡張専用チャネル絶対グラントチャネルＥ−ＡＧＣＨのチャネルフォーマットと同一であるチャネル、又は、チャネルフォーマットがＨＳ−ＳＣＣＨのチャネルフォーマットと同一であるチャネルを含む。
【００５０】
第３態様の第１の可能な実施例に関して、第３態様の第２の可能な実施例において、プロセッサは、アップリンクグラント情報を有するチャネルのチャネルフォーマットがＥ−ＡＧＣＨのチャネルフォーマットと同一である場合に、次の複数のやり方のうち少なくとも１つにより、構成信号に従って、ダウンリンク制御チャネルのうち少なくとも１つのコードチャネル上で、アップリンクグラント情報を有するチャネルを監視するよう特に構成される。
【００５１】
すなわち、構成信号に含まれる、全てのＨＳ−ＳＣＣＨの複数のコードチャネル番号に従って、全てのＨＳ−ＳＣＣＨの複数のコードチャネル番号に対応する複数のコードチャネルの全てのコードサブチャネル上で、アップリンクグラント情報を有するチャネルを監視するやり方。
【００５２】
ネットワークデバイスによって送信された通知信号に示された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視するやり方。
【００５３】
そして、ＵＥ及びネットワークデバイスによって事前に合意された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視するやり方である。
【００５４】
第３態様の第１の可能な実施例に関して、第３態様の第３の可能な実施例において、プロセッサは、アップリンクグラント情報を有するチャネルのチャネルフォーマットがＥ−ＡＧＣＨのチャネルフォーマットと同一である場合に、時間識別子又はＵＥ識別子に従って、構成信号に含まれる、ＨＳ−ＳＣＣＨのコードチャネル番号から、各サブフレームにおいて監視される必要がある少なくとも１つのＨＳ−ＳＣＣＨのコードチャネル番号を決定し、少なくとも１つのＨＳ−ＳＣＣＨの決定されたコードチャネル番号に対応するＨＳ−ＳＣＣＨコードチャネルのうち少なくとも１つのコードサブチャネル上で、アップリンクグラント情報を有するチャネルを監視するよう特に構成され、時間識別子は、フレーム番号及び／又はサブフレーム番号を含む。
【００５５】
第３態様の第１の可能な実施例に関して、第３態様の第４の可能な実施例において、プロセッサは、アップリンクグラント情報を有するチャネルのチャネルフォーマットがＨＳ−ＳＣＣＨのチャネルフォーマットと同一である場合に、ＨＳ−ＳＣＣＨが、構成信号に従って、ＨＳ−ＳＣＣＨコードチャネル上で監視することにより取得されると、ＨＳ−ＳＣＣＨが状態を有するアップリンクグラント情報を満たすか否かを検出し、検出結果が、ＨＳ−ＳＣＣＨは状態を有するアップリンクグラント情報を満たすという場合に、監視することにより取得されたＨＳ−ＳＣＣＨはアップリンクグラント情報を有するチャネルであると決定するよう特に構成される。
【００５６】
第３態様の第４の可能な実施例に関して、第３態様の第５の可能な実施例において、検出結果は、状態を有するアップリンクグラント情報をＨＳ−ＳＣＣＨが満たすということは、以下のことを含む。
【００５７】
すなわち、検出結果は、ネットワークデバイスによって予め構成された無線ネットワーク一時識別子ＲＮＴＩをＨＳ−ＳＣＣＨが含むということである。
【００５８】
又は、検出結果は、監視することにより取得されたＨＳ−ＳＣＣＨのＨＳ−ＳＣＣＨコードチャネルのコードチャネル番号が予め構成されたコードチャネル番号であるということである。
【００５９】
又は、検出結果は、ＨＳ−ＳＣＣＨの予め設定されたビットのビット値が予め定められたビット値と同一であるということである。
【００６０】
第４態様に従って、アップリンクグラント情報を取得するための方法が提供され、方法は以下の段階を含む。
【００６１】
すなわち、基地局によって構成信号を取得する段階であり、構成信号は、ＵＥが監視する必要があるダウンリンク制御チャネルのコードチャネル番号を含む。
【００６２】
そして、基地局により、構成信号に従って、ダウンリンク制御チャネルのうち少なくとも１つのコードチャネル上に、ＵＥのアップリンクグラント情報を有するチャネルを送信する段階であり、これにより、ＵＥは、ダウンリンク制御チャネルのうち少なくとも１つのコードチャネル上で、アップリンクグラント情報を有するチャネルを監視する。
【００６３】
第４態様に関して、第４態様の第１の可能な実施例において、ダウンリンク制御チャネルは高速共有制御チャネルＨＳ−ＳＣＣＨである。
【００６４】
アップリンクグラント情報を有するチャネルは、チャネルフォーマットが拡張専用チャネル絶対グラントチャネルＥ−ＡＧＣＨのチャネルフォーマットと同一であるチャネル、又は、チャネルフォーマットがＨＳ−ＳＣＣＨのチャネルフォーマットと同一であるチャネルを含む。
【００６５】
第４態様の第１の可能な実施例に関して、第４態様の第２の可能な実施例において、ＵＥのアップリンクグラント情報を有するチャネルのチャネルフォーマットがＥ−ＡＧＣＨのチャネルフォーマットと同一である場合に、基地局により、構成信号に従って、ダウンリンク制御チャネルのうち少なくとも１つのコードチャネル上に、ＵＥのアップリンクグラント情報を有するチャネルを送信する段階は、以下の段階を含む。
【００６６】
すなわち、基地局により、構成信号に含まれる、全てのＨＳ−ＳＣＣＨの複数のコードチャネル番号に従って、全てのＨＳ−ＳＣＣＨの複数のコードチャネル番号に対応する複数のコードチャネルの全てのコードサブチャネル上に、ＵＥのアップリンクグラント情報を有するチャネルを送信する段階である。
【００６７】
又は、基地局により、ＵＥに送信された通知信号に示された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上に、ＵＥのアップリンクグラント情報を有するチャネルを送信する段階である。
【００６８】
又は、基地局により、基地局及びＵＥによって事前に合意された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上に、ＵＥのアップリンクグラント情報を有するチャネルを送信する段階である。
【００６９】
第４態様の第１の可能な実施例に関して、第４態様の第３の可能な実施例において、アップリンクグラント情報を有するチャネルのチャネルフォーマットがＥ−ＡＧＣＨのチャネルフォーマットと同一である場合に、基地局により、構成信号に従って、ダウンリンク制御チャネルのうち少なくとも１つのコードチャネル上に、ＵＥのアップリンクグラント情報を有するチャネルを送信する段階は、以下の段階を含む。
【００７０】
すなわち、基地局により、ＵＥの時間識別子又はＵＥ識別子に従って、構成信号に含まれる、複数のＨＳ−ＳＣＣＨの複数のコードチャネル番号から、各サブフレームにおいてＵＥが監視する必要がある少なくとも１つのＨＳ−ＳＣＣＨのコードチャネル番号を決定する段階であり、時間識別子は、フレーム番号及び／又はサブフレーム番号を含む。
【００７１】
そして、少なくとも１つのＨＳ−ＳＣＣＨの決定されたコードチャネル番号に対応するＨＳ−ＳＣＣＨコードチャネルのうち少なくとも１つのコードサブチャネル上に、基地局によって、ＵＥのアップリンクグラント情報を有するチャネルを送信する段階である。
【００７２】
第４態様の第１の可能な実施例に関して、第４態様の第４の可能な実施例において、アップリンクグラント情報を有するチャネルのチャネルフォーマットがＨＳ−ＳＣＣＨのチャネルフォーマットと同一である場合に、基地局により、構成信号に従って、ダウンリンク制御チャネルのうち少なくとも１つのコードチャネル上に、ＵＥのアップリンクグラント情報を有するチャネルを送信する段階は、以下の段階を含む。
【００７３】
すなわち、基地局によって、ＵＥのアップリンクグラント情報を有するのに用いられるＨＳ−ＳＣＣＨを生成する段階であり、ＨＳ−ＳＣＣＨは、状態を有するアップリンクグラント情報を満たす。
【００７４】
そして、基地局により、構成信号に従って、ＨＳ−ＳＣＣＨコードチャネル上に、ＵＥのアップリンクグラント情報を有するのに用いられるＨＳ−ＳＣＣＨを送信する段階である。
【００７５】
第４態様の第４の可能な実施例に関して、第４態様の第５の可能な実施例において、ＨＳ−ＳＣＣＨは状態を有するアップリンクグラント情報を満たすということは、以下のことを含む。
【００７６】
すなわち、ＨＳ−ＳＣＣＨは、予め構成された無線ネットワーク一時識別子ＲＮＴＩを含む。
【００７７】
又は、ＨＳ−ＳＣＣＨのＨＳ−ＳＣＣＨコードチャネルのコードチャネル番号は、予め構成されたコードチャネル番号である。
【００７８】
又は、ＨＳ−ＳＣＣＨの予め設定されたビットのビット値は、予め定められたビット値と同一である。
【００７９】
第５態様に従って、基地局が提供され、基地局は以下のものを含む。
【００８０】
すなわち、構成信号を取得するよう構成された取得ユニットであり、構成信号は、ＵＥが監視する必要があるダウンリンク制御チャネルのコードチャネル番号を含む。
【００８１】
そして、取得ユニットによって取得された構成信号に従って、ダウンリンク制御チャネルのうち少なくとも１つのコードチャネル上に、ＵＥのアップリンクグラント情報を有するチャネルを送信するよう構成された送信ユニットであり、これにより、ＵＥは、ダウンリンク制御チャネルのうち少なくとも１つのコードチャネル上で、アップリンクグラント情報を有するチャネルを監視する。
【００８２】
第５態様に関して、第５態様の第１の可能な実施例において、ダウンリンク制御チャネルは高速共有制御チャネルＨＳ−ＳＣＣＨである。
【００８３】
アップリンクグラント情報を有するチャネルは、チャネルフォーマットが拡張専用チャネル絶対グラントチャネルＥ−ＡＧＣＨのチャネルフォーマットと同一であるチャネル、又は、チャネルフォーマットがＨＳ−ＳＣＣＨのチャネルフォーマットと同一であるチャネルを含む。
【００８４】
第５態様の第１の可能な実施例に関して、第５態様の第２の可能な実施例において、ＵＥのアップリンクグラント情報を有するチャネルのチャネルフォーマットがＥ−ＡＧＣＨのチャネルフォーマットと同一である場合に、送信ユニットは、次の複数のサブユニットのうち少なくとも１つを含む。
【００８５】
すなわち、構成信号に含まれる、全てのＨＳ−ＳＣＣＨの複数のコードチャネル番号に従って、全てのＨＳ−ＳＣＣＨの複数のコードチャネル番号に対応する複数のコードチャネルの全てのコードサブチャネル上に、ＵＥのアップリンクグラント情報を有するチャネルを送信するよう構成された第１送信サブユニット。
【００８６】
ＵＥに送信された通知信号に示された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上に、ＵＥのアップリンクグラント情報を有するチャネルを送信するよう構成された第２送信サブユニット。
【００８７】
そして、基地局及びＵＥによって事前に合意された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上に、ＵＥのアップリンクグラント情報を有するチャネルを送信するよう構成された第３送信サブユニットである。
【００８８】
第５態様の第１の可能な実施例に関して、第５態様の第３の可能な実施例は、アップリンクグラント情報を有するチャネルのチャネルフォーマットがＥ−ＡＧＣＨのチャネルフォーマットと同一である場合に、送信ユニットは以下のものを含む。
【００８９】
すなわち、ＵＥの時間識別子又はＵＥ識別子に従って、構成信号に含まれる、ＨＳ−ＳＣＣＨのコードチャネル番号から、各サブフレームにおいてＵＥが監視する必要がある少なくとも１つのＨＳ−ＳＣＣＨのコードチャネル番号を決定するよう構成されたコードチャネル番号決定サブユニットであり、時間識別子は、フレーム番号及び／又はサブフレーム番号を含む。
【００９０】
そして、コードチャネル番号決定サブユニットによって決定され、少なくとも１つのＨＳ−ＳＣＣＨのコードチャネル番号に対応するＨＳ−ＳＣＣＨコードチャネルのうち少なくとも１つのコードサブチャネル上に、ＵＥのアップリンクグラント情報を有するチャネルを送信するよう構成された第４送信サブユニットである。
【００９１】
第５態様の第１の可能な実施例に関して、第５態様の第４の可能な実施例において、アップリンクグラント情報を有するチャネルのチャネルフォーマットがＨＳ−ＳＣＣＨのチャネルフォーマットと同一である場合に、送信ユニットは以下のものを含む。
【００９２】
すなわち、ＵＥのアップリンクグラント情報を有するのに用いられるＨＳ−ＳＣＣＨを生成するよう構成されたチャネル生成サブユニットであり、ＨＳ−ＳＣＣＨは状態を有するアップリンクグラント情報を満たす。
【００９３】
そして、チャネル生成サブユニットによって生成され、且つＵＥのアップリンクグラント情報を有するのに用いられるＨＳ−ＳＣＣＨを、ＨＳ−ＳＣＣＨコードチャネル上に、構成信号に従って送信するよう構成された第５送信サブユニットである。
【００９４】
第５態様の第４の可能な実施例に関して、第５態様の第５の可能な実施例において、ＨＳ−ＳＣＣＨが状態を有するアップリンクグラント情報を満たすということは、以下のことを含む。
【００９５】
すなわち、ＨＳ−ＳＣＣＨは、予め構成された無線ネットワーク一時識別子ＲＮＴＩを含む。
【００９６】
又は、ＨＳ−ＳＣＣＨのＨＳ−ＳＣＣＨコードチャネルのコードチャネル番号は、予め構成されたコードチャネル番号である。
【００９７】
又は、ＨＳ−ＳＣＣＨの予め設定されたビットのビット値は、予め定められたビット値と同一である。
【００９８】
第６態様に従って、基地局が提供され、基地局は送信機及びプロセッサを含む。
【００９９】
送信機は、構成信号を取得するよう構成され、構成信号は、ＵＥが監視する必要があるダウンリンク制御チャネルのコードチャネル番号を含む。
【０１００】
プロセッサは、送信機を用いることにより、構成信号に従って、ダウンリンク制御チャネルのうち少なくとも１つのコードチャネル上に、ＵＥのアップリンクグラント情報を有するチャネルを送信するよう構成され、これにより、ＵＥは、ダウンリンク制御チャネルのうち少なくとも１つのコードチャネル上で、アップリンクグラント情報を有するチャネルを監視する。
【０１０１】
第６態様に関して、第６態様の第１の可能な実施例において、ダウンリンク制御チャネルは高速共有制御チャネルＨＳ−ＳＣＣＨである。
【０１０２】
アップリンクグラント情報を有するチャネルは、チャネルフォーマットが拡張専用チャネル絶対グラントチャネルＥ−ＡＧＣＨのチャネルフォーマットと同一であるチャネル、又は、チャネルフォーマットがＨＳ−ＳＣＣＨのチャネルフォーマットと同一であるチャネルを含む。
【０１０３】
第６態様の第１の可能な実施例に関して、第６態様の第２の可能な実施例において、プロセッサは、アップリンクグラント情報を有するチャネルのチャネルフォーマットがＥ−ＡＧＣＨのチャネルフォーマットと同一である場合に、次の複数のやり方のうち少なくとも１つにより、構成信号に従って、ダウンリンク制御チャネルのうち少なくとも１つのコードチャネル上に、送信機を用いることによって、ＵＥのアップリンクグラント情報を有するチャネルを送信するよう特に構成される。
【０１０４】
すなわち、構成信号に含まれる全てのＨＳ−ＳＣＣＨの複数のコードチャネル番号に従って、全てのＨＳ−ＳＣＣＨの複数のコードチャネル番号に対応する複数のコードチャネルの全てのコードサブチャネル上に、送信機を用いることによって、ＵＥのアップリンクグラント情報を有するチャネルを送信するやり方。
【０１０５】
基地局により、ＵＥに送信された通知信号に示された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上に、送信機を用いることによって、ＵＥのアップリンクグラント情報を有するチャネルを送信するやり方。
【０１０６】
そして、基地局により、基地局及びＵＥによって事前に合意された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上に、送信機を用いることによって、ＵＥのアップリンクグラント情報を有するチャネルを送信するやり方である。
【０１０７】
第６態様の第１の可能な実施例に関して、第６態様の第３の可能な実施例において、プロセッサは、アップリンクグラント情報を有するチャネルのチャネルフォーマットがＥ−ＡＧＣＨのチャネルフォーマットと同一である場合に、ＵＥの時間識別子又はＵＥ識別子に従って、構成信号に含まれる、複数のＨＳ−ＳＣＣＨの複数のコードチャネル番号から、各サブフレームにおいてＵＥが監視する必要がある少なくとも１つのＨＳ−ＳＣＣＨのコードチャネル番号を決定して、少なくとも１つのＨＳ−ＳＣＣＨの決定されたコードチャネル番号に対応するＨＳ−ＳＣＣＨコードチャネルのうち少なくとも１つのコードサブチャネル上に、送信機を用いることによって、ＵＥのアップリンクグラント情報を有するチャネルを送信するよう特に構成され、時間識別子は、フレーム番号及び／又はサブフレーム番号を含む。
【０１０８】
第６態様の第１の可能な実施例に関して、第６態様の第４の可能な実施例において、プロセッサは、アップリンクグラント情報を有するチャネルのチャネルフォーマットがＨＳ−ＳＣＣＨのチャネルフォーマットと同一である場合に、ＵＥのアップリンクグラント情報を有するのに用いられるＨＳ−ＳＣＣＨを生成して、ＵＥのアップリンクグラント情報を有するのに用いられるＨＳ−ＳＣＣＨを、ＨＳ−ＳＣＣＨコードチャネル上に、構成信号に従って、送信機を用いることによって、送信するよう特に構成され、ＨＳ−ＳＣＣＨは状態を有するアップリンクグラント情報を満たす。
【０１０９】
第６態様の第４の可能な実施例に関して、第６態様の第５の可能な実施例において、ＨＳ−ＳＣＣＨが状態を有するアップリンクグラント情報を満たすということは、以下のことを含む。
【０１１０】
すなわち、ＨＳ−ＳＣＣＨは、予め構成された無線ネットワーク一時識別子ＲＮＴＩを含む。
【０１１１】
又は、ＨＳ−ＳＣＣＨのＨＳ−ＳＣＣＨコードチャネルのコードチャネル番号は、予め構成されたコードチャネル番号である。
【０１１２】
又は、ＨＳ−ＳＣＣＨの予め設定されたビットのビット値は、予め定められたビット値と同一である。
【０１１３】
本発明の複数の実施形態において、ＵＥは、ダウンリンク制御チャネルのコードチャネル番号を含む構成信号を取得して、構成信号に従って、ダウンリンク制御チャネルのうち少なくとも１つのコードチャネル上で、アップリンクグラント情報を有するチャネルを監視する。本発明の複数の実施形態を適用することによってＨＳＵＰＡを実行する間、ＵＥによってサポートされるダウンリンク制御チャネルの複数のコードチャネルリソースは、アップリンク制御チャネルの複数のコードチャネルリソースより多いので、アップリンクグラント情報を有するチャネルが、ダウンリンク制御チャネルのコードチャネルリソースを用いることによって送信されると、システムによってＵＥをスケジューリングする柔軟性が向上し得て、複数のダウンリンクコードチャネルリソースのオーバーヘッドも減少し得る。
【図面の簡単な説明】
【０１１４】
本発明の複数の実施形態において、複数の技術的解決手段をより明確に説明すべく、複数の実施形態を説明するために必要とされる複数の添付図面を、以下に簡潔に説明する。以下の説明において、複数の添付図面は、単に本発明のいくつかの実施形態を示しているだけであり、それでも当業者は、創造的努力をすることなく、これらの添付図面から他の複数の図面を導き出し得ることは明らかである。
【０１１５】
【図１Ａ】本発明に従ったアップリンクグラント情報を取得するための方法の実施形態のフローチャートである。
【０１１６】
【図１Ｂ】本発明に従ったアップリンクグラント情報を取得するための方法の別の実施形態のフローチャートである。
【０１１７】
【図２】本発明に従ったアップリンクグラント情報を取得するための方法の別の実施形態のフローチャートである。
【０１１８】
【図３】本発明に従ったアップリンクグラント情報を取得するための方法の別の実施形態のフローチャートである。
【０１１９】
【図４】本発明に従ったアップリンクグラント情報を取得するための方法の別の実施形態のフローチャートである。
【０１２０】
【図５】本発明に従ったＵＥの実施形態のブロック図である。
【０１２１】
【図６】本発明に従ったＵＥの別の実施形態のブロック図である。
【０１２２】
【図７】本発明に従った基地局の実施形態のブロック図である。
【０１２３】
【図８】本発明に従った基地局の別の実施形態のブロック図である。
【発明を実施するための形態】
【０１２４】
本発明の複数の実施形態における複数の技術的解決手段を当業者により良く理解してもらうべく、且つ本発明の複数の実施形態の複数の目的、特徴、及び利点をより明確にすべく、本発明の複数の実施形態における複数の技術的解決手段を複数の添付図面を参照して詳細に、以下にさらに説明する。
【０１２５】
図１Ａは、本発明に従ったアップリンクグラント情報を取得するための方法の実施形態のフローチャートである。この実施形態は、ＵＥ側から説明されている。
【０１２６】
段階１０１：ＵＥは構成信号を取得し、構成信号はダウンリンク制御チャネルのコードチャネル番号を含む。
【０１２７】
この実施形態では、ＨＳＰＡベースのシステムにおいて、ダウンリンク制御チャネルは具体的にはＨＳ−ＳＣＣＨであってよく、ＨＳ−ＳＣＣＨは概してダウンリンクグラント情報を有するのに用いられる。無線ネットワークコントローラ（Ｒａｄｉｏ  Ｎｅｔｗｏｒｋ  Ｃｏｎｔｒｏｌｌｅｒ、ＲＮＣ）などのネットワークデバイスは、ＵＥに対し、監視される必要があるＨＳ−ＳＣＣＨコードチャネルを構成し、次にＨＳ−ＳＣＣＨコードチャネルのコードチャネル番号を含む構成信号を生成して、基地局を用いることによってＵＥに構成信号を送信し得る。ＨＳ−ＳＣＣＨコードチャネルはＨＳ−ＳＣＣＨを送信するのに用いられるコードリソースであり、各ＨＳ−ＳＣＣＨコードチャネルは、異なる複数の拡散率に従って、異なる数のコードサブチャネルをさらに含み得る。構成信号は、具体的には無線リソース制御（Ｒａｄｉｏ  Ｒｅｓｏｕｒｃｅ  Ｃｏｎｔｒｏｌ、ＲＲＣ）信号であり得る。
【０１２８】
段階１０２：ＵＥは、構成信号に従って、ダウンリンク制御チャネルのうち少なくとも１つのコードチャネル上で、アップリンクグラント情報を有するチャネルを監視する。
【０１２９】
本発明のこの実施形態において、アップリンクグラント情報は主に、Ｅ−ＡＧＣＨが従来技術において有する、以下のものを含み得る情報を指す。すなわち、ＵＥに許容されるＥ−ＤＣＨ専用物理データチャネル（Ｅ−ＤＣＨ  Ｄｅｄｉｃａｔｅｄ  Ｐｈｙｓｉｃａｌ  Ｄａｔａ  Ｃｈａｎｎｅｌ、Ｅ−ＤＰＤＣＨ）のＥ−ＤＣＨ専用物理制御チャネル（Ｅ−ＤＣＨ  Ｄｅｄｉｃａｔｅｄ  Ｐｈｙｓｉｃａｌ  Ｃｏｎｔｒｏｌ  Ｃｈａｎｎｅｌ、Ｅ−ＤＰＣＣＨ）に対する最大電力比、ＵＥの複数のハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）処理を有効及び無効にするビット値、ＵＥ識別子等である。
【０１３０】
本発明のこの実施形態において、アップリンクグラント情報を有するチャネルは、チャネルフォーマットがＥ−ＡＧＣＨのチャネルフォーマットと同一であるチャネル、又は、チャネルフォーマットがＨＳ−ＳＣＣＨのチャネルフォーマットと同一であるチャネルを含み得る。本発明のこの実施形態において、上記のどちらのチャネルフォーマットを用いるチャネルでも、アップリンクグラント情報を有するチャネルは、ダウンリンクグラントチャネルのコードチャネルを用いることによって送信される。
【０１３１】
任意の実施態様において、アップリンクグラント情報を有するチャネルのチャネルフォーマットがＥ−ＡＧＣＨのチャネルフォーマットと同一である場合に、ＵＥは、構成信号に含まれる、全てのＨＳ−ＳＣＣＨの複数のコードチャネル番号に従って、全てのＨＳ−ＳＣＣＨの複数のコードチャネル番号に対応する複数のコードチャネルの全てのコードサブチャネル上で、アップリンクグラント情報を有するチャネルを監視し得る。
【０１３２】
また、別の任意の実施態様において、アップリンクグラント情報を有するチャネルのチャネルフォーマットがＥ−ＡＧＣＨのチャネルフォーマットと同一である場合に、ＵＥは、ネットワークデバイスによって送信された通知信号に示された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視し得る。
【０１３３】
また、別の任意の実施態様において、アップリンクグラント情報を有するチャネルのチャネルフォーマットがＥ−ＡＧＣＨのチャネルフォーマットと同一である場合に、ＵＥは、ＵＥ及びネットワークデバイスによって事前に合意された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視し得る。
【０１３４】
また、別の任意の実施態様において、アップリンクグラント情報を有するチャネルのチャネルフォーマットがＥ−ＡＧＣＨのチャネルフォーマットと同一である場合に、ＵＥは、時間識別子又はＵＥ識別子に従って、構成信号に含まれる、複数のＨＳ−ＳＣＣＨの複数のコードチャネル番号から、各サブフレームにおいて監視される必要がある少なくとも１つのＨＳ−ＳＣＣＨのコードチャネル番号を決定して、少なくとも１つのＨＳ−ＳＣＣＨの決定されたコードチャネル番号に対応するＨＳ−ＳＣＣＨコードチャネルのうち少なくとも１つのコードサブチャネル上で、アップリンクグラント情報を有するチャネルを監視し得る。ここで、時間識別子はフレーム番号及び／又はサブフレーム番号を含み得る。
【０１３５】
別の任意の実施態様において、アップリンクグラント情報を有するチャネルのチャネルフォーマットがＨＳ−ＳＣＣＨのチャネルフォーマットと同一である場合に、ＨＳ−ＳＣＣＨが、構成信号に従って、ＨＳ−ＳＣＣＨコードチャネル上で監視することにより取得されると、ＵＥは、監視することにより取得されたＨＳ−ＳＣＣＨが状態を有するアップリンクグラント情報を満たすか否かを検出し、検出結果が、ＨＳ−ＳＣＣＨは状態を有するアップリンクグラント情報を満たすという場合に、監視することにより取得されたＨＳ−ＳＣＣＨはアップリンクグラント情報を有するチャネルであると決定し得る。
【０１３６】
ＵＥによってサポートされるダウンリンク制御チャネルの複数のコードチャネルリソースは、アップリンク制御チャネルの複数のコードチャネルリソースより多いことが、先述の実施形態から分かる。従って、アップリンクグラント情報を有するチャネルが、ダウンリンク制御チャネルのコードチャネルリソースを用いることによって送信されると、システムによってＵＥをスケジューリングする柔軟性が向上し得て、複数のダウンリンクコードチャネルリソースのオーバーヘッドも減少し得る。
【０１３７】
図１Ｂは、本発明に従ったアップリンクグラント情報を取得するための方法の別の実施形態のフローチャートである。この実施形態は、基地局側から説明されている。
【０１３８】
段階１１１：基地局は構成信号を取得し、構成信号は、ＵＥが監視する必要があるダウンリンク制御チャネルのコードチャネル番号を含む。
【０１３９】
この実施形態において、ＲＮＣなどのネットワークデバイスは、ＵＥに対し、監視される必要があるＨＳ−ＳＣＣＨコードチャネルを構成し、次にＨＳ−ＳＣＣＨコードチャネルのコードチャネル番号を含む構成信号を生成して、基地局を用いることによって構成信号を送信し得る。ＨＳ−ＳＣＣＨコードチャネルはＨＳ−ＳＣＣＨを送信するのに用いられるコードリソースであり、各ＨＳ−ＳＣＣＨコードチャネルは、異なる複数の拡散率に従って、異なる数のコードサブチャネルをさらに含み得る。構成信号は、具体的にはＲＲＣ信号であり得る。
【０１４０】
本発明のこの実施形態において、アップリンクグラント情報は主に、Ｅ−ＡＧＣＨが従来技術において有する、以下のものを含み得る情報を指す。すなわち、ＵＥに許容されるＥ−ＤＰＤＣＨのＥ−ＤＰＣＣＨに対する最大電力比、ＵＥの複数のＨＡＲＱ処理を有効及び無効にするビット値、ＵＥ識別子等である。
【０１４１】
段階１１２：基地局は、構成信号に従って、ダウンリンク制御チャネルのうち少なくとも１つのコードチャネル上に、ＵＥのアップリンクグラント情報を有するチャネルを送信し、これにより、ＵＥは、ダウンリンク制御チャネルのうち少なくとも１つのコードチャネル上で、アップリンクグラント情報を有するチャネルを監視する。
【０１４２】
任意の実施態様において、アップリンクグラント情報を有するチャネルのチャネルフォーマットがＥ−ＡＧＣＨのチャネルフォーマットと同一である場合に、基地局は、構成信号に含まれる、全てのＨＳ−ＳＣＣＨの複数のコードチャネル番号に従って、全てのＨＳ−ＳＣＣＨの複数のコードチャネル番号に対応する複数のコードチャネルの全てのコードサブチャネル上に、ＵＥのアップリンクグラント情報を有するチャネルを送信し得る。
【０１４３】
また、別の任意の実施態様において、アップリンクグラント情報を有するチャネルのチャネルフォーマットがＥ−ＡＧＣＨのチャネルフォーマットと同一である場合に、基地局は、ＵＥに送信された通知信号に示された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上に、ＵＥのアップリンクグラント情報を有するチャネルを送信し得る。
【０１４４】
別の任意の実施態様において、アップリンクグラント情報を有するチャネルのチャネルフォーマットがＥ−ＡＧＣＨのチャネルフォーマットと同一である場合に、基地局は、基地局及びＵＥによって事前に合意された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上に、ＵＥのアップリンクグラント情報を有するチャネルを送信し得る。
【０１４５】
別の任意の実施態様において、アップリンクグラント情報を有するチャネルのチャネルフォーマットがＥ−ＡＧＣＨのチャネルフォーマットと同一である場合に、基地局は、ＵＥの時間識別子又はＵＥ識別子に従って、構成信号に含まれる、複数のＨＳ−ＳＣＣＨの複数のコードチャネル番号から、各サブフレームにおいてＵＥが監視する必要がある少なくとも１つのＨＳ−ＳＣＣＨのコードチャネル番号を決定して、少なくとも１つのＨＳ−ＳＣＣＨの決定されたコードチャネル番号に対応するＨＳ−ＳＣＣＨコードチャネルのうち少なくとも１つのコードサブチャネル上に、ＵＥのアップリンクグラント情報を有するチャネルを送信し得る。時間識別子は、フレーム番号及び／又はサブフレーム番号を含む。
【０１４６】
別の任意の実施態様において、アップリンクグラント情報を有するチャネルのチャネルフォーマットがＨＳ−ＳＣＣＨのチャネルフォーマットと同一である場合に、基地局は、ＵＥのアップリンクグラント情報を有するのに用いられるＨＳ−ＳＣＣＨを生成して、ＵＥのアップリンクグラント情報を有するのに用いられるＨＳ−ＳＣＣＨを、構成信号に従って、ＨＳ−ＳＣＣＨコードチャネル上に送信し得る。ここで、ＨＳ−ＳＣＣＨは状態を有するアップリンクグラント情報を満たす。
【０１４７】
ＵＥによってサポートされるダウンリンク制御チャネルの複数のコードチャネルリソースは、アップリンク制御チャネルの複数のコードチャネルリソースより多いことが、先述の実施形態から分かる。従って、アップリンクグラント情報を有するチャネルが、ダウンリンク制御チャネルのコードチャネルリソースを用いることによって送信されると、システムによってＵＥをスケジューリングする柔軟性が向上し得て、複数のダウンリンクコードチャネルリソースのオーバーヘッドも減少し得る。
【０１４８】
図２は、本発明に従ったアップリンクグラント情報を取得するための方法の別の実施形態のフローチャートである。
【０１４９】
段階２０１：ＵＥは構成信号を取得し、構成信号はＨＳ−ＳＣＣＨのコードチャネル番号を含む。
【０１５０】
この実施形態において、ＲＮＣなどのネットワークデバイスは、ＵＥに対し、監視される必要があるＨＳ−ＳＣＣＨコードチャネルを構成し、次にＨＳ−ＳＣＣＨコードチャネルのコードチャネル番号を含む構成信号を生成して、基地局を用いることによってＵＥに構成信号を送信し得る。ＨＳ−ＳＣＣＨコードチャネルはＨＳ−ＳＣＣＨを送信するのに用いられるコードリソースであり、各ＨＳ−ＳＣＣＨコードチャネルは、異なる複数の拡散率に従って、異なる数のコードサブチャネルをさらに含み得る。構成信号は、具体的にはＲＲＣ信号であり得る。
【０１５１】
段階２０２：ＵＥは、ＨＳ−ＳＣＣＨのうち少なくとも１つのコードチャネル上で、構成信号に従って、アップリンクグラント情報を有するチャネルを監視する。
【０１５２】
本発明のこの実施形態において、アップリンクグラント情報は主に、Ｅ−ＡＧＣＨが従来技術において有する、以下のものを含み得る情報を指す。すなわち、ＵＥに許容されるＥ−ＤＰＤＣＨのＥ−ＤＰＣＣＨに対する最大電力比、ＵＥの複数のＨＡＲＱ処理を有効及び無効にするビット値、ＵＥ識別子等である。
【０１５３】
アップリンクグラント情報を有するのに用いられ、且つＨＳ−ＳＣＣＨコードチャネルを用いることによって送信されるチャネルのチャネルフォーマットは、Ｅ−ＡＧＣＨのチャネルフォーマットと同一である。
【０１５４】
別の任意の実施態様において、ＵＥは、構成信号に含まれる、全てのＨＳ−ＳＣＣＨの複数のコードチャネル番号に従って、全てのＨＳ−ＳＣＣＨの複数のコードチャネル番号に対応する複数のコードチャネルの全てのコードサブチャネル上で、アップリンクグラント情報を有するチャネルを監視し得る。例えば、ネットワークデバイスは、ＵＥのためのＮ個のＨＳ−ＳＣＣＨコードチャネルを構成し、Ｎが４であると仮定すると、コードチャネル番号はそれぞれ、Ｃ（１２８、Ｎ０）、Ｃ（１２８、Ｎ１）、Ｃ（１２８、Ｎ２）、及びＣ（１２８、Ｎ３）である。拡散率が１２８の場合、先述の４つのＨＳ−ＳＣＣＨコードチャネルのコードサブチャネルのコードサブチャネル番号は、Ｃ（２５６，２Ｎ０−１）、Ｃ（２５６、２Ｎ０）、Ｃ（２５６、２Ｎ１−１）、Ｃ（２５６、２Ｎ１）、Ｃ（２５６、２Ｎ２−１）、Ｃ（２５６、２Ｎ２）、Ｃ（２５６、２Ｎ３−１）、及びＣ（２５６、２Ｎ３）であり、ＵＥは、４つのＨＳ−ＳＣＣＨコードチャネル全てのコードサブチャネル上でＥ−ＡＧＣＨを監視する。すなわち、ＵＥは、コードサブチャネル番号がＣ（２５６，２Ｎ０−１）、Ｃ（２５６、２Ｎ０）、Ｃ（２５６、２Ｎ１−１）、Ｃ（２５６、２Ｎ１）、Ｃ（２５６、２Ｎ２−１）、Ｃ（２５６、２Ｎ２）、Ｃ（２５６、２Ｎ３−１）、及びＣ（２５６、２Ｎ３）である、８つのコードサブチャネル上でＥ−ＡＧＣＨを監視する。
【０１５５】
別の任意の実施態様において、ＵＥは、ネットワークデバイスによって送信された通知信号に示された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視し得る。例えば、ネットワークデバイスは、ＵＥのためのＮ個のＨＳ−ＳＣＣＨコードチャネルを構成し、Ｎが４であると仮定すると、コードチャネル番号はそれぞれ、Ｃ（１２８、Ｎ０）、Ｃ（１２８、Ｎ１）、Ｃ（１２８、Ｎ２）、及びＣ（１２８、Ｎ３）である。拡散率が１２８の場合、先述の４つのＨＳ−ＳＣＣＨコードチャネルのコードサブチャネルのコードサブチャネル番号は、Ｃ（２５６，２Ｎ０−１）、Ｃ（２５６、２Ｎ０）、Ｃ（２５６、２Ｎ１−１）、Ｃ（２５６、２Ｎ１）、Ｃ（２５６、２Ｎ２−１）、Ｃ（２５６、２Ｎ２）、Ｃ（２５６、２Ｎ３−１）、及びＣ（２５６、２Ｎ３）である。ネットワークデバイスは、通知信号をＵＥに送信することによって、アップリンクグラント情報を有するチャネルを送信するのに用いられるＨＳ−ＳＣＣＨコードチャネルのコードチャネル番号をＵＥに通知し得る。通知信号に含まれたコードチャネル番号がＣ（１２８、Ｎ０）だと仮定すると、ＵＥは、コードチャネル番号Ｃ（１２８、Ｎ０）に対応するコードチャネルのうち少なくとも１つのコードサブチャネル上、すなわち、コードサブチャネル番号がＣ（２５６、２Ｎ０−１）及びＣ（２５６、２Ｎ０）である２つのコードサブチャネル上で、Ｅ−ＡＧＣＨを監視し得る。通知信号及び構成信号は１つの信号として組み合わされてよく、又は通知信号は構成信号とは別個に送信されてもよいが、このことは本発明のこの実施形態では限定されないことが留意されるべきである。
【０１５６】
別の任意の実施態様において、ＵＥは、ＵＥ及びネットワークデバイスによって事前に合意された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視し得る。例えば、ネットワークデバイスは、ＵＥのためのＮ個のＨＳ−ＳＣＣＨコードチャネルを構成し、Ｎが４であると仮定すると、コードチャネル番号はそれぞれ、Ｃ（１２８、Ｎ０）、Ｃ（１２８、Ｎ１）、Ｃ（１２８、Ｎ２）、及びＣ（１２８、Ｎ３）である。拡散率が１２８の場合、先述の４つのＨＳ−ＳＣＣＨコードチャネルのコードサブチャネルのコードサブチャネル番号は、Ｃ（２５６，２Ｎ０−１）、Ｃ（２５６、２Ｎ０）、Ｃ（２５６、２Ｎ１−１）、Ｃ（２５６、２Ｎ１）、Ｃ（２５６、２Ｎ２−１）、Ｃ（２５６、２Ｎ２）、Ｃ（２５６、２Ｎ３−１）、及びＣ（２５６、２Ｎ３）である。ネットワークデバイス及びＵＥによって事前に合意された構成信号に含まれる、第１のＨＳ−ＳＣＣＨのコードチャネル番号Ｃ（１２８、Ｎ０）に対応するコードチャネルが、アップリンクグラント情報を有するチャネルを送信するのに用いられると仮定すると、ＵＥは、コードチャネル番号Ｃ（１２８、Ｎ０）に対応するコードチャネルのうち少なくとも１つのコードサブチャネル上、すなわち、コードサブチャネル番号がＣ（２５６、２Ｎ０−１）及びＣ（２５６、２Ｎ０）である２つのコードサブチャネル上で、Ｅ−ＡＧＣＨを監視し得る。
【０１５７】
ＵＥによってサポートされるＨＳ−ＳＣＣＨの複数のコードチャネルリソースは、Ｅ−ＡＧＣＨの複数のコードチャネルリソースより多いことが、先述の実施形態から分かる。従って、アップリンクグラント情報を有するチャネルが、ＨＳ−ＳＣＣＨのコードチャネルリソースを用いることによって送信されると、システムによってＵＥをスケジューリングする柔軟性が向上し得て、複数のダウンリンクコードチャネルリソースのオーバーヘッドも減少し得る。
【０１５８】
図３は、本発明に従ったアップリンクグラント情報を取得するための方法の別の実施形態のフローチャートである。
【０１５９】
段階３０１：ＵＥは構成信号を取得し、構成信号はＨＳ−ＳＣＣＨのコードチャネル番号を含む。
【０１６０】
この実施形態において、ＲＮＣなどのネットワークデバイスは、ＵＥに対し、監視される必要があるＨＳ−ＳＣＣＨコードチャネルを構成し、次にＨＳ−ＳＣＣＨコードチャネルのコードチャネル番号を含む構成信号を生成して、基地局を用いることによってＵＥに構成信号を送信し得る。ＨＳ−ＳＣＣＨコードチャネルはＨＳ−ＳＣＣＨを送信するのに用いられるコードリソースであり、各ＨＳ−ＳＣＣＨコードチャネルは、異なる複数の拡散率に従って、異なる数のコードサブチャネルをさらに含み得る。構成信号は、具体的にはＲＲＣ信号であり得る。
【０１６１】
段階３０２：ＵＥは、時間識別子又はＵＥ識別子に従って、構成信号に含まれる、ＨＳ−ＳＣＣＨのコードチャネル番号から、各サブフレームにおいて監視される必要がある少なくとも１つのＨＳ−ＳＣＣＨのコードチャネル番号を決定する。
【０１６２】
この実施形態において、時間識別子は、フレーム番号及び／又はサブフレーム番号を含み得て、ＵＥ識別子は、無線ネットワーク一時識別子（Ｒａｄｉｏ  Ｎｅｔｗｏｒｋ  Ｔｅｍｐｏｒａｒｙ  Ｉｄｅｎｔｉｔｙ、ＲＮＴＩ）を含み得る。この実施形態において、各サブフレームは、ＵＥの監視ＴＴＩに対応する。
【０１６３】
例えば、ネットワークデバイスは、ＵＥのためのＮ個のＨＳ−ＳＣＣＨコードチャネルを構成し、Ｎが４であると仮定すると、コードチャネル番号はそれぞれ、Ｃ（１２８、Ｎ０）、Ｃ（１２８、Ｎ１）、Ｃ（１２８、Ｎ２）、及びＣ（１２８、Ｎ３）である。拡散率が１２８の場合、先述の４つのＨＳ−ＳＣＣＨコードチャネルのコードサブチャネルのコードサブチャネル番号は、Ｃ（２５６，２Ｎ０−１）、Ｃ（２５６、２Ｎ０）、Ｃ（２５６、２Ｎ１−１）、Ｃ（２５６、２Ｎ１）、Ｃ（２５６、２Ｎ２−１）、Ｃ（２５６、２Ｎ２）、Ｃ（２５６、２Ｎ３−１）、及びＣ（２５６、２Ｎ３）である。任意の実施態様において、ＨＳ−ＳＣＣＨのコードチャネル番号がＴＴＩ用の時間識別子に従って決定され、ＴＴＩに対応するフレーム番号がＣＦＮであり、ＴＴＩに対応するサブフレーム番号がＳＦＮである場合に、５×ＣＦＮ＋ＳＦＮが奇数であれば、ＵＥは、監視される必要があるコードサブチャネルのコードサブチャネル番号はＣ（２５６、２Ｎ０−１）、Ｃ（２５６、２Ｎ１−１）、Ｃ（２５６、２Ｎ２−１）、及びＣ（２５６、２Ｎ３−１）であると決定し得て、５×ＣＦＮ＋ＳＦＮが偶数であれば、監視される必要があるコードサブチャネルのコードサブチャネル番号はＣ（２５６、２Ｎ０）、Ｃ（２５６、２Ｎ１）、Ｃ（２５６、２Ｎ２）、及びＣ（２５６、２Ｎ３）であると決定し得る。別の任意の実施態様において、ＨＳ−ＳＣＣＨのコードチャネル番号がＵＥ識別子に従って決定される場合に、ＵＥは、奇数のＲＮＴＩを有するＴＴＩにおいて、監視される必要があるコードサブチャネルのコードサブチャネル番号はＣ（２５６、２Ｎ０−１）、Ｃ（２５６、２Ｎ１−１）、Ｃ（２５６、２Ｎ２−１）、及びＣ（２５６、２Ｎ３−１）であると決定し得て、ＲＮＴＩが偶数であれば、監視される必要があるコードサブチャネルのコードサブチャネル番号はＣ（２５６、２Ｎ０）、Ｃ（２５６、２Ｎ１）、Ｃ（２５６、２Ｎ２）、及びＣ（２５６、２Ｎ３）であると決定し得る。
【０１６４】
段階３０３：ＵＥは、少なくとも１つのＨＳ−ＳＣＣＨの決定されたコードチャネル番号に対応するＨＳ−ＳＣＣＨコードチャネルのうち少なくとも１つのコードサブチャネル上で、アップリンクグラント情報を有するチャネルを監視する。
【０１６５】
本発明のこの実施形態において、アップリンクグラント情報は主に、Ｅ−ＡＧＣＨが従来技術において有する、以下のものを含み得る情報を指す。すなわち、ＵＥに許容されるＥ−ＤＰＤＣＨのＥ−ＤＰＣＣＨに対する最大電力比、ＵＥの複数のＨＡＲＱ処理を有効及び無効にするビット値、ＵＥ識別子等である。各サブフレームにおいて監視される必要がある少なくとも１つのＨＳ−ＳＣＣＨのコードチャネル番号が、段階３０２において時間識別子又はＵＥ識別子に従って決定された後に、ＵＥは、少なくとも１つのＨＳ−ＳＣＣＨの決定されたコードチャネル番号に対応するＨＳ−ＳＣＣＨコードチャネルのうち少なくとも１つのコードサブチャネル上で、アップリンクグラント情報を有するチャネルを監視し得る。この実施形態において、アップリンクグラント情報を有するのに用いられ、且つＨＳ−ＳＣＣＨコードチャネルを用いることによって送信されるチャネルのチャネルフォーマットは、Ｅ−ＡＧＣＨのチャネルフォーマットと同一である。
【０１６６】
ＵＥによってサポートされるＨＳ−ＳＣＣＨの複数のコードチャネルリソースは、Ｅ−ＡＧＣＨの複数のコードチャネルリソースより多いことが、先述の実施形態から分かる。従って、アップリンクグラント情報を有するチャネルが、ＨＳ−ＳＣＣＨのコードチャネルリソースを用いることによって送信される場合に、システムによってＵＥをスケジューリングする柔軟性が向上し得て、複数のダウンリンクコードチャネルリソースのオーバーヘッドも減少し得る。さらに、ＵＥは、異なる複数のサブフレーム上でＨＳ−ＳＣＣＨの異なる複数のコードチャネルリソースを監視するので、複数のＵＥが同一のＨＳ−ＳＣＣＨのコードチャネルリソースを長時間使用する場合に生じる衝突の確率が回避され得て、システムのスケジューリングの柔軟性がさらに向上する。
【０１６７】
図４は、本発明に従ったアップリンクグラント情報を取得するための方法の別の実施形態のフローチャートである。
【０１６８】
段階４０１：ＵＥは構成信号を取得し、構成信号はＨＳ−ＳＣＣＨのコードチャネル番号を含む。
【０１６９】
この実施形態において、ＲＮＣなどのネットワークデバイスは、ＵＥに対し、監視される必要があるＨＳ−ＳＣＣＨコードチャネルを構成し、次にＨＳ−ＳＣＣＨコードチャネルのコードチャネル番号を含む構成信号を生成して、基地局を用いることによってＵＥに構成信号を送信し得る。ＨＳ−ＳＣＣＨコードチャネルはＨＳ−ＳＣＣＨを送信するのに用いられるコードリソースであり、各ＨＳ−ＳＣＣＨコードチャネルは、異なる複数の拡散率に従って、異なる数のコードサブチャネルをさらに含み得る。構成信号は、具体的にはＲＲＣ信号であり得る。
【０１７０】
段階４０２：ＵＥは、構成信号に従って、ＨＳ−ＳＣＣＨコードチャネル上で、ＨＳ−ＳＣＣＨを監視する。
【０１７１】
段階４０３：ＵＥは、監視することによりＨＳ−ＳＣＣＨを取得する場合に、ＨＳ−ＳＣＣＨが状態を有するアップリンクグラント情報を満たすか否かを検出する。
【０１７２】
この実施形態において、アップリンクグラント情報を有するのに用いられ、且つＨＳ−ＳＣＣＨコードチャネルを用いることによって送信されるチャネルのチャネルフォーマットは、ＨＳ−ＳＣＣＨのチャネルフォーマットと同一であるので、ＵＥは、構成信号に従って、ＨＳ−ＳＣＣＨコードチャネル上で、ＨＳ−ＳＣＣＨを監視し得る。しかしながら、複数のＨＳ−ＳＣＣＨから、アップリンクグラント情報を有するチャネルを識別するには、ＵＥは、監視することによりＨＳ−ＳＣＣＨを取得する場合に、ＨＳ−ＳＣＣＨが状態を有するアップリンクグラント情報を満たすか否かを検出する必要がある。
【０１７３】
ＵＥは、以下の複数のやり方のいずれかで、状態を有するアップリンクグラント情報が満たされるか否かを検出し得る。すなわち、ＵＥは、監視することにより取得されたＨＳ−ＳＣＣＨがネットワークデバイスによって予め構成されたＲＮＴＩを含むか否かを検出し得て、監視することにより取得されたＨＳ−ＳＣＣＨがネットワークデバイスによって予め構成されたＲＮＴＩを含む場合に、ＨＳ−ＳＣＣＨは状態を有するアップリンクグラント情報を満たすことを示すやり方である。ＵＥは、監視することにより取得されたＨＳ−ＳＣＣＨのＨＳ−ＳＣＣＨコードチャネルのコードチャネル番号が予め構成されたコードチャネル番号であるか否かも検出し得て、監視することにより取得されたＨＳ−ＳＣＣＨのＨＳ−ＳＣＣＨコードチャネルのコードチャネル番号が予め構成されたコードチャネル番号である場合に、ＨＳ−ＳＣＣＨは状態を有するアップリンクグラント情報を満たすことを示すやり方である。そして、ＵＥは、監視することにより取得されたＨＳ−ＳＣＣＨの予め設定されたビットのビット値が予め定められたビット値と同一であるか否かも検出し得て、監視することにより取得されたＨＳ−ＳＣＣＨの予め設定されたビットのビット値が予め定められたビット値と同一である場合に、ＨＳ−ＳＣＣＨは状態を有するアップリンクグラント情報を満たすことを示すやり方である。
【０１７４】
段階４０４：検出結果が、ＨＳ−ＳＣＣＨは状態を有するアップリンクグラント情報を満たすという場合に、監視することにより取得されたＨＳ−ＳＣＣＨはアップリンクグラント情報を有するチャネルであると決定する。
【０１７５】
本発明のこの実施形態において、アップリンクグラント情報は主に、Ｅ−ＡＧＣＨが従来技術において有する、以下のものを含み得る情報を指す。すなわち、ＵＥに許容されるＥ−ＤＰＤＣＨのＥ−ＤＰＣＣＨに対する最大電力比、ＵＥの複数のＨＡＲＱ処理を有効及び無効にするビット値、ＵＥ識別子等である。
【０１７６】
任意の実施態様において、ＨＳ−ＳＣＣＨは状態を有するアップリンクグラント情報を満たすことをＵＥが検出するということは、具体的には、ＨＳ−ＳＣＣＨがネットワークデバイスによって予め構成されたＲＮＴＩを含むということであると考えられる。例えば、ネットワークデバイスは、ＵＥのためのＮ個のＨＳ−ＳＣＣＨコードチャネルを構成し、Ｎが４であると仮定すると、コードチャネル番号はそれぞれ、Ｃ（１２８、Ｎ０）、Ｃ（１２８、Ｎ１）、Ｃ（１２８、Ｎ２）、及びＣ（１２８、Ｎ３）であり、ネットワークデバイスはＵＥのためのＲＮＴＩａを予め構成する。監視することによりＨＳ−ＳＣＣＨを取得した後に、ＨＳ−ＳＣＣＨがＲＮＴＩａを含むことを調べるときに、ＵＥは、ＨＳ−ＳＣＣＨがアップリンクグラント情報を有することを確認する。
【０１７７】
別の任意の実施態様において、ＨＳ−ＳＣＣＨは状態を有するアップリンクグラント情報を満たすことをＵＥが検出するということは、具体的には、ＨＳ−ＳＣＣＨのコードチャネル番号が予め構成されたコードチャネル番号であるということであると考えられる。例えば、ネットワークデバイスは、ＵＥのためのＮ個のＨＳ−ＳＣＣＨコードチャネルを構成し、Ｎが４であると仮定すると、コードチャネル番号はそれぞれ、Ｃ（１２８、Ｎ０）、Ｃ（１２８、Ｎ１）、Ｃ（１２８、Ｎ２）、及びＣ（１２８、Ｎ３）であり、ネットワークデバイスは、信号通知又は予め定められたやり方で、予め構成されたコードチャネル番号をＵＥに通知する。予め構成されたコードチャネル番号がＣ（１２８、Ｎ０）であると仮定すると、ＨＳ−ＳＣＣＨを検出した後に、ＵＥはＨＳ−ＳＣＣＨのコードチャネル番号を調べ、コードチャネル番号がＣ（１２８、Ｎ０）であれば、ＵＥは、１つのＨＳ−ＳＣＣＨがアップリンクグラント情報を有することが分かる。ＨＳ−ＳＣＣＨを検出すると、ＵＥは、ＨＳ−ＳＣＣＨがアップリンクグラント情報を有することを確認する。
【０１７８】
別の任意の実施態様において、ＨＳ−ＳＣＣＨは状態を有するアップリンクグラント情報を満たすことをＵＥが検出するということは、具体的には、ＨＳ−ＳＣＣＨの予め設定されたビットのビット値が予め定められたビット値と同一であるということであると考えられる。例えば、ネットワークデバイスは、ＵＥのためのＮ個のＨＳ−ＳＣＣＨコードチャネルを構成し、Ｎが４であると仮定すると、コードチャネル番号はそれぞれ、Ｃ（１２８、Ｎ０）、Ｃ（１２８、Ｎ１）、Ｃ（１２８、Ｎ２）、及びＣ（１２８、Ｎ３）であり、ネットワークデバイスは、予め定められたやり方で、ＨＳ−ＳＣＣＨのいくつかのビットを特別の値に定める。例えば、最初の３ビットのビット値は０である。監視することによりＨＳ−ＳＣＣＨを取得した後に、ＵＥは、ＨＳ−ＳＣＣＨの最初の３ビットのビット値を調べ、その３ビットのビット値が０であれば、ＵＥは、ＨＳ−ＳＣＣＨがアップリンクグラント情報を有することを確認する。
【０１７９】
ＵＥによってサポートされるＨＳ−ＳＣＣＨの複数のコードチャネルリソースは、Ｅ−ＡＧＣＨの複数のコードチャネルリソースより多いことが、先述の実施形態から分かる。従って、アップリンクグラント情報を有するチャネルが、ＨＳ−ＳＣＣＨのコードチャネルリソースを用いることによって送信されると、システムによってＵＥをスケジューリングする柔軟性が向上し得て、複数のダウンリンクコードチャネルリソースのオーバーヘッドも減少し得る。
【０１８０】
本発明のアップリンクグラント情報を取得するための方法の複数の実施形態に対応して、本発明は、ＵＥ及び基地局の複数の実施形態をさらに提供する。
【０１８１】
図５は、本発明に従ったＵＥの実施形態のブロック図である。
【０１８２】
ＵＥは、取得ユニット５１０及び監視ユニット５２０を含む。
【０１８３】
取得ユニット５１０は構成信号を取得するよう構成され、構成信号はダウンリンク制御チャネルのコードチャネル番号を含む。
【０１８４】
監視ユニット５２０は、取得ユニット５１０によって取得された構成信号に従って、ダウンリンク制御チャネルのうち少なくとも１つのコードチャネル上で、アップリンクグラント情報を有するチャネルを監視するよう構成される。
【０１８５】
この実施形態において、ダウンリンク制御チャネルはＨＳ−ＳＣＣＨであり得て、アップリンクグラント情報を有するチャネルは、チャネルフォーマットが拡張専用チャネル絶対グラントチャネルＥ−ＡＧＣＨのチャネルフォーマットと同一であるチャネル、又は、チャネルフォーマットがＨＳ−ＳＣＣＨのチャネルフォーマットと同一であるチャネルを含み得る。
【０１８６】
任意の実施態様においては、以下の通りである。
【０１８７】
アップリンクグラント情報を有するチャネルのチャネルフォーマットがＥ−ＡＧＣＨのチャネルフォーマットと同一である場合に、監視ユニット５２０は、次の複数のサブユニット（図５では不図示）のうち少なくとも１つを含み得る。
【０１８８】
すなわち、構成信号に含まれる、全てのＨＳ−ＳＣＣＨの複数のコードチャネル番号に従って、全てのＨＳ−ＳＣＣＨの複数のコードチャネル番号に対応する複数のコードチャネルの全てのコードサブチャネル上で、アップリンクグラント情報を有するチャネルを監視するよう構成された第１監視サブユニット。
【０１８９】
ネットワークデバイスによって送信された通知信号に示された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視するよう構成された第２監視サブユニット。
【０１９０】
そして、ＵＥ及びネットワークデバイスによって事前に合意された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視するよう構成された第３監視サブユニットである。
【０１９１】
別の任意の実施態様においては、次の通りである。
【０１９２】
アップリンクグラント情報を有するチャネルのチャネルフォーマットがＥ−ＡＧＣＨのチャネルフォーマットと同一である場合に、監視ユニット５２０は、以下のもの（図５では不図示）を含み得る。
【０１９３】
すなわち、時間識別子又はＵＥ識別子に従って、構成信号に含まれる、ＨＳ−ＳＣＣＨのコードチャネル番号から、各サブフレームにおいて監視される必要がある少なくとも１つのＨＳ−ＳＣＣＨのコードチャネル番号を決定するよう構成されたコードチャネル番号決定サブユニットであり、時間識別子は、フレーム番号及び／又はサブフレーム番号を含む。
【０１９４】
そして、コードチャネル番号決定サブユニットによって決定された、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視するよう構成された第４監視サブユニットである。
【０１９５】
別の任意の実施態様においては、次の通りである。
【０１９６】
アップリンクグラント情報を有するチャネルのチャネルフォーマットがＨＳ−ＳＣＣＨのチャネルフォーマットと同一である場合に、監視ユニット５２０は、以下のもの（図５では不図示）を含み得る。
【０１９７】
すなわち、構成信号に従って、ＨＳ−ＳＣＣＨコードチャネル上で、ＨＳ−ＳＣＣＨを監視するよう構成された第５監視サブユニット。
【０１９８】
第５監視サブユニットによって監視することにより取得されたＨＳ−ＳＣＣＨが、状態を有するアップリンクグラント情報を満たすか否かを検出するよう構成された状態検出サブユニット。
【０１９９】
そして、状態検出サブユニットの検出結果が、ＨＳ−ＳＣＣＨは状態を有するアップリンクグラント情報を満たすという場合に、監視することにより取得されたＨＳ−ＳＣＣＨは、アップリンクグラント情報を有するチャネルであると決定するよう構成されたチャネル決定サブユニットである。
【０２００】
検出結果は、状態を有するアップリンクグラント情報をＨＳ−ＳＣＣＨが満たすということであることは、以下のことを含み得る。すなわち、検出結果は、ネットワークデバイスによって予め構成された無線ネットワーク一時識別子ＲＮＴＩをＨＳ−ＳＣＣＨが含むということ、又は、検出結果は、監視することにより取得されたＨＳ−ＳＣＣＨのＨＳ−ＳＣＣＨコードチャネルのコードチャネル番号が予め構成されたコードチャネル番号であるということ、又は、ＨＳ−ＳＣＣＨの予め設定されたビットのビット値が予め定められたビット値と同一であるということである。
【０２０１】
図６は、本発明に従ったＵＥの別の実施形態のブロック図である。
【０２０２】
ＵＥは、無線送信機６１０及びプロセッサ６２０を含む。
【０２０３】
無線送信機６１０は、構成信号を取得するよう構成され、構成信号は、ダウンリンク制御チャネルのコードチャネル番号を含む。
【０２０４】
プロセッサ６２０は、ダウンリンク制御チャネルのうち少なくとも１つのコードチャネル上で、構成信号に従って、アップリンクグラント情報を有するチャネルを監視するよう構成される。
【０２０５】
この実施形態において、ダウンリンク制御チャネルはＨＳ−ＳＣＣＨであり得て、アップリンクグラント情報を有するチャネルは、チャネルフォーマットが拡張専用チャネル絶対グラントチャネルＥ−ＡＧＣＨのチャネルフォーマットと同一であるチャネル、又は、チャネルフォーマットがＨＳ−ＳＣＣＨのチャネルフォーマットと同一であるチャネルを含み得る。
【０２０６】
任意の実施態様においては、以下の通りである。
【０２０７】
プロセッサ６２０は、アップリンクグラント情報を有するチャネルのチャネルフォーマットが、Ｅ−ＡＧＣＨのチャネルフォーマットと同一である場合に、次の複数のやり方のうち少なくとも１つにより、構成信号に従って、ダウンリンク制御チャネルのうち少なくとも１つのコードチャネル上で、アップリンクグラント情報を有するチャネルを監視するよう特に構成され得る。その複数のやり方とは、構成信号に含まれる、全てのＨＳ−ＳＣＣＨの複数の複数のコードチャネル番号に従って、全てのＨＳ−ＳＣＣＨのコードチャネル番号に対応する複数のコードチャネルの全てのコードサブチャネル上で、アップリンクグラント情報を有するチャネルを監視するやり方と、ネットワークデバイスによって送信された通知信号に示された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視するやり方と、ＵＥ及びネットワークデバイスによって事前に合意された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上で、アップリンクグラント情報を有するチャネルを監視するやり方とである。
【０２０８】
別の任意の実施態様においては、次の通りである。
【０２０９】
プロセッサ６２０は、アップリンクグラント情報を有するチャネルのチャネルフォーマットがＥ−ＡＧＣＨのチャネルフォーマットと同一である場合に、時間識別子又はＵＥ識別子に従って、構成信号に含まれる、複数のＨＳ−ＳＣＣＨの複数のコードチャネル番号から、各サブフレームにおいて監視される必要がある少なくとも１つのＨＳ−ＳＣＣＨのコードチャネル番号を決定して、少なくとも１つのＨＳ−ＳＣＣＨの決定されたコードチャネル番号に対応するＨＳ−ＳＣＣＨコードチャネルのうち少なくとも１つのコードサブチャネル上で、アップリンクグラント情報を有するチャネルを監視するよう特に構成され得る。ここで、時間識別子はフレーム番号及び／又はサブフレーム番号を含む。
【０２１０】
別の任意の実施態様においては、次の通りである。
【０２１１】
プロセッサ６２０は、アップリンクグラント情報を有するチャネルのチャネルフォーマットがＨＳ−ＳＣＣＨのチャネルフォーマットと同一である場合に、ＨＳ−ＳＣＣＨが、構成信号に従って、ＨＳ−ＳＣＣＨコードチャネル上で監視することにより取得されると、ＨＳ−ＳＣＣＨが状態を有するアップリンクグラント情報を満たすか否かを検出し、検出結果が、ＨＳ−ＳＣＣＨは状態を有するアップリンクグラント情報を満たすという場合に、監視することにより取得されたＨＳ−ＳＣＣＨはアップリンクグラント情報を有するチャネルであると決定するよう特に構成され得る。
【０２１２】
検出結果は、状態を有するアップリンクグラント情報をＨＳ−ＳＣＣＨが満たすということであることは、以下のことを含み得る。すなわち、検出結果は、ネットワークデバイスによって予め構成された無線ネットワーク一時識別子ＲＮＴＩをＨＳ−ＳＣＣＨが含むということ、又は、検出結果は、監視することにより取得されたＨＳ−ＳＣＣＨのＨＳ−ＳＣＣＨコードチャネルのコードチャネル番号が予め構成されたコードチャネル番号であるということ、又は、ＨＳ−ＳＣＣＨの予め設定されたビットのビット値が予め定められたビット値と同一であるということである。
【０２１３】
図７は、本発明に従った基地局の実施形態のブロック図である。
【０２１４】
基地局は、取得ユニット７１０及び送信ユニット７２０を含む。
【０２１５】
取得ユニット７１０は、構成信号を取得するよう構成され、構成信号は、ＵＥが監視する必要があるダウンリンク制御チャネルのコードチャネル番号を含む。
【０２１６】
送信ユニット７２０は、取得ユニット７１０によって取得された構成信号に従って、ダウンリンク制御チャネルのうち少なくとも１つのコードチャネル上に、ＵＥのアップリンクグラント情報を有するチャネルを送信するよう構成され、これにより、ＵＥは、ダウンリンク制御チャネルのうち少なくとも１つのコードチャネル上で、アップリンクグラント情報を有するチャネルを監視する。
【０２１７】
この実施形態において、ダウンリンク制御チャネルはＨＳ−ＳＣＣＨであり得て、アップリンクグラント情報を有するチャネルは、チャネルフォーマットが拡張専用チャネル絶対グラントチャネルＥ−ＡＧＣＨのチャネルフォーマットと同一であるチャネル、又は、チャネルフォーマットがＨＳ−ＳＣＣＨのチャネルフォーマットと同一であるチャネルを含み得る。
【０２１８】
任意の実施態様においては、次の通りである。
【０２１９】
ＵＥのアップリンクグラント情報を有するチャネルのチャネルフォーマットがＥ−ＡＧＣＨのチャネルフォーマットと同一である場合に、送信ユニット７２０は、次の複数のサブユニット（図７では不図示）のうち少なくとも１つを含み得る。
【０２２０】
すなわち、構成信号に含まれる、全てのＨＳ−ＳＣＣＨの複数のコードチャネル番号に従って、全てのＨＳ−ＳＣＣＨの複数のコードチャネル番号に対応する複数のコードチャネルの全てのコードサブチャネル上に、ＵＥのアップリンクグラント情報を有するチャネルを送信するよう構成された第１送信サブユニット。
【０２２１】
ＵＥに送信された通知信号に示された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上に、ＵＥのアップリンクグラント情報を有するチャネルを送信するよう構成された第２送信サブユニット。
【０２２２】
そして、基地局及びＵＥによって事前に合意された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上に、ＵＥのアップリンクグラント情報を有するチャネルを送信するよう構成された第３送信サブユニットである。
【０２２３】
別の任意の実施態様においては、次の通りである。
【０２２４】
アップリンクグラント情報を有するチャネルのチャネルフォーマットがＥ−ＡＧＣＨのチャネルフォーマットと同一である場合に、送信ユニット７２０は、以下のもの（図７では不図示）を含み得る。
【０２２５】
すなわち、ＵＥの時間識別子又はＵＥ識別子に従って、構成信号に含まれる、ＨＳ−ＳＣＣＨのコードチャネル番号から、各サブフレームにおいてＵＥが監視する必要がある少なくとも１つのＨＳ−ＳＣＣＨのコードチャネル番号を決定するよう構成されたコードチャネル番号決定サブユニットであり、時間識別子は、フレーム番号及び／又はサブフレーム番号を含む。
【０２２６】
そして、コードチャネル番号決定サブユニットによって決定され、少なくとも１つのＨＳ−ＳＣＣＨのコードチャネル番号に対応するＨＳ−ＳＣＣＨコードチャネルのうち少なくとも１つのコードサブチャネル上に、ＵＥのアップリンクグラント情報を有するチャネルを送信するよう構成された第４送信サブユニットである。
【０２２７】
別の任意の実施態様においては、次の通りである。
【０２２８】
アップリンクグラント情報を有するチャネルのチャネルフォーマットがＨＳ−ＳＣＣＨのチャネルフォーマットと同一である場合に、送信ユニット７２０は、以下のもの（図７では不図示）を含み得る。
【０２２９】
すなわち、ＵＥのアップリンクグラント情報を有するのに用いられるＨＳ−ＳＣＣＨを生成するよう構成されたチャネル生成サブユニットであり、ＨＳ−ＳＣＣＨは状態を有するアップリンクグラント情報を満たす。
【０２３０】
そして、チャネル生成サブユニットによって生成され、且つＵＥのアップリンクグラント情報を有するのに用いられるＨＳ−ＳＣＣＨを、ＨＳ−ＳＣＣＨコードチャネル上に、構成信号に従って送信するよう構成された第５送信サブユニットである。
【０２３１】
ＨＳ−ＳＣＣＨが状態を有するアップリンクグラント情報を満たすということは、以下のことを含み得る。
【０２３２】
すなわち、ＨＳ−ＳＣＣＨは、予め構成された無線ネットワーク一時識別子ＲＮＴＩを含む。
【０２３３】
又は、ＨＳ−ＳＣＣＨのＨＳ−ＳＣＣＨコードチャネルのコードチャネル番号は、予め構成されたコードチャネル番号である。
【０２３４】
又は、ＨＳ−ＳＣＣＨの予め設定されたビットのビット値は、予め定められたビット値と同一である。
【０２３５】
図８は、本発明に従った基地局の別の実施形態のブロック図である。
【０２３６】
基地局は、送信機８１０及びプロセッサ８２０を含む。
【０２３７】
送信機８１０は、構成信号を取得するよう構成され、構成信号は、ＵＥが監視する必要があるダウンリンク制御チャネルのコードチャネル番号を含む。
【０２３８】
プロセッサ８２０は、構成信号に従って、ダウンリンク制御チャネルのうち少なくとも１つのコードチャネル上に、送信機を用いることによって、ＵＥのアップリンクグラント情報を有するチャネルを送信するよう構成され、これにより、ＵＥは、ダウンリンク制御チャネルのうち少なくとも１つのコードチャネル上で、アップリンクグラント情報を有するチャネルを監視する。
【０２３９】
この実施形態において、ダウンリンク制御チャネルはＨＳ−ＳＣＣＨであり得て、アップリンクグラント情報を有するチャネルは、チャネルフォーマットが拡張専用チャネル絶対グラントチャネルＥ−ＡＧＣＨのチャネルフォーマットと同一であるチャネル、又は、チャネルフォーマットがＨＳ−ＳＣＣＨのチャネルフォーマットと同一であるチャネルを含む。
【０２４０】
任意の実施態様においては、次の通りである。
【０２４１】
プロセッサ８２０は、アップリンクグラント情報を有するチャネルのチャネルフォーマットがＥ−ＡＧＣＨのチャネルフォーマットと同一である場合に、次の複数のやり方のうち少なくとも１つにより、構成信号に従って、ダウンリンク制御チャネルのうち少なくとも１つのコードチャネル上に、送信機を用いることによって、ＵＥのアップリンクグラント情報を有するチャネルを送信するよう特に構成され得る。
【０２４２】
すなわち、構成信号に含まれる全てのＨＳ−ＳＣＣＨの複数のコードチャネル番号に従って、全てのＨＳ−ＳＣＣＨの複数のコードチャネル番号に対応する複数のコードチャネルの全てのコードサブチャネル上に、送信機を用いることによって、ＵＥのアップリンクグラント情報を有するチャネルを送信するやり方。
【０２４３】
基地局により、ＵＥに送信された通知信号に示された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上に、送信機を用いることによって、ＵＥのアップリンクグラント情報を有するチャネルを送信するやり方。
【０２４４】
そして、基地局により、基地局及びＵＥによって事前に合意された構成信号の中の、少なくとも１つのＨＳ−ＳＣＣＨのコードチャネル番号に従って、少なくとも１つのＨＳ−ＳＣＣＨのコードチャネル番号に対応するＨＳ−ＳＣＣＨコードチャネルのうち少なくとも１つのコードサブチャネル上に、送信機を用いることによって、ＵＥのアップリンクグラント情報を有するチャネルを送信するやり方である。
【０２４５】
別の任意の実施態様においては、次の通りである。
【０２４６】
プロセッサ８２０は、アップリンクグラント情報を有するチャネルのチャネルフォーマットがＥ−ＡＧＣＨのチャネルフォーマットと同一である場合に、ＵＥの時間識別子又はＵＥ識別子に従って、構成信号に含まれる、複数のＨＳ−ＳＣＣＨの複数のコードチャネル番号から、各サブフレームにおいてＵＥが監視する必要がある少なくとも１つのＨＳ−ＳＣＣＨのコードチャネル番号を決定して、少なくとも１つのＨＳ−ＳＣＣＨの決定されたコードチャネル番号に対応するＨＳ−ＳＣＣＨコードチャネルのうち少なくとも１つのコードサブチャネル上に、送信機を用いることによって、ＵＥのアップリンクグラント情報を有するチャネルを送信するよう特に構成され得て、時間識別子はフレーム番号及び／又はサブフレーム番号を含む。
【０２４７】
別の任意の実施態様においては、次の通りである。
【０２４８】
プロセッサ８２０は、アップリンクグラント情報を有するチャネルのチャネルフォーマットがＨＳ−ＳＣＣＨのチャネルフォーマットと同一である場合に、ＵＥのアップリンクグラント情報を有するのに用いられるＨＳ−ＳＣＣＨを生成して、ＵＥのアップリンクグラント情報を有するのに用いられるＨＳ−ＳＣＣＨを、構成信号に従って、ＨＳ−ＳＣＣＨコードチャネル上に、送信機を用いることによって送信するよう特に構成され得て、ＨＳ−ＳＣＣＨは状態を有するアップリンクグラント情報を満たす。
【０２４９】
ＨＳ−ＳＣＣＨが状態を有するアップリンクグラント情報を満たすということは、以下のことを含み得る。
【０２５０】
すなわち、ＨＳ−ＳＣＣＨは、予め構成された無線ネットワーク一時識別子ＲＮＴＩを含む。
【０２５１】
又は、ＨＳ−ＳＣＣＨのＨＳ−ＳＣＣＨコードチャネルのコードチャネル番号は、予め構成されたコードチャネル番号である。
【０２５２】
又は、ＨＳ−ＳＣＣＨの予め設定されたビットのビット値は、予め定められたビット値と同一である。
【０２５３】
ＵＥは、ダウンリンク制御チャネルのコードチャネル番号を含む構成信号を取得して、構成信号に従って、ダウンリンク制御チャネルのうち少なくとも１つのコードチャネル上で、アップリンクグラント情報を有するチャネルを監視することが、先述の複数の実施形態から分かる。本発明の複数の実施形態を適用することによってＨＳＵＰＡを実行する間、ＵＥによってサポートされるダウンリンク制御チャネルの複数のコードチャネルリソースは、アップリンク制御チャネルの複数のコードチャネルリソースより多いので、アップリンクグラント情報を有するチャネルが、ダウンリンク制御チャネルのコードチャネルリソースを用いることによって送信されると、システムによってＵＥをスケジューリングする柔軟性が向上し得て、複数のダウンリンクコードチャネルリソースのオーバーヘッドも減少し得る。
【０２５４】
当業者は、本発明の複数の実施形態における複数の技術が、必要な一般的なハードウェアプラットフォームに加えて、ソフトウェアによって実装され得ることを明確に理解し得る。そのような理解に基づいて、従来技術に実質的に貢献する、又は一部貢献する本発明の複数の技術的解決手段は、ソフトウェア製品の形で実施され得る。ソフトウェア製品は、ＲＯＭ／ＲＡＭ、ハードディスク、又は光ディスクなどの記憶媒体に格納され、コンピュータデバイス（これは、パーソナルコンピュータ、サーバ、又はネットワークデバイスであり得る）に本発明の複数の実施形態、又は本発明の複数の実施形態の一部に説明された複数の方法を実行するよう命令するための複数の命令を含む。
【０２５５】
本明細書の複数の実施形態は、全て漸進的に説明されているので、複数の実施形態における同一又は類似の複数の部分では、これらの実施形態が参照され得て、それぞれの実施形態は他の複数の実施形態との違いに注目している。とりわけ、システムの実施形態は、方法の実施形態と基本的に類似するので簡潔に説明され、複数の関連部分では、方法の実施形態の説明が部分的に参照され得る。
【０２５６】
先述の複数の説明は、本発明の複数の実装態様であるが、本発明の保護範囲を制限することを意図したものではない。本発明の本質から逸脱することなく成された、いかなる変形、均等置換、及び改良も本発明の保護範囲に含まれるものとする。
【図１Ａ】
2016541176.tif 000003
【図１Ｂ】
2016541176.tif 000004
【図２】
2016541176.tif 000005
【図３】
2016541176.tif 000006
【図４】
2016541176.tif 000007
【図５】
2016541176.tif 000008
【図６】
2016541176.tif 000009
【図７】
2016541176.tif 000010
【図８】
2016541176.tif 000011
【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
アップリンクグラント情報を取得するための方法であって、前記方法は、
ユーザ機器（ＵＥ）によって構成信号を取得する段階であって、前記構成信号はダウンリンク制御チャネルのコードチャネル番号を含む、取得する段階と、
前記ＵＥにより、前記構成信号に従って、前記ダウンリンク制御チャネルのうち少なくとも１つのコードチャネル上でアップリンクグラント情報を有するチャネルを監視する段階と、
を備える、
方法。
【請求項２】
前記ダウンリンク制御チャネルは、高速共有制御チャネル（ＨＳ−ＳＣＣＨ）であり、
前記アップリンクグラント情報を有する前記チャネルは、
チャネルフォーマットが拡張専用チャネル絶対グラントチャネル（Ｅ−ＡＧＣＨ）のチャネルフォーマットと同一であるチャネル、又はチャネルフォーマットがＨＳ−ＳＣＣＨのチャネルフォーマットと同一であるチャネルを有する、
請求項１に記載の方法。
【請求項３】
前記アップリンクグラント情報を有する前記チャネルのチャネルフォーマットが、Ｅ−ＡＧＣＨのチャネルフォーマットと同一である場合に、前記ＵＥにより、前記構成信号に従って、前記ダウンリンク制御チャネルのうち少なくとも１つのコードチャネル上で、アップリンクグラント情報を有するチャネルを監視する前記段階は、
前記ＵＥにより、前記構成信号に含まれる、全てのＨＳ−ＳＣＣＨの複数のコードチャネル番号に従って、前記全てのＨＳ−ＳＣＣＨの前記複数のコードチャネル番号に対応する複数のコードチャネルの全てのコードサブチャネル上で、前記アップリンクグラント情報を有する前記チャネルを監視する段階、又は、
前記ＵＥにより、ネットワークデバイスによって送信された通知信号に示される前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上で、前記アップリンクグラント情報を有する前記チャネルを監視する段階、又は、
前記ＵＥにより、前記ＵＥ及びネットワークデバイスによって事前に合意された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上で、前記アップリンクグラント情報を有する前記チャネルを監視する段階を含む、
請求項２に記載の方法。
【請求項４】
前記アップリンクグラント情報を有する前記チャネルのチャネルフォーマットが、Ｅ−ＡＧＣＨのチャネルフォーマットと同一である場合に、前記ＵＥにより、前記構成信号に従って、前記ダウンリンク制御チャネルのうち少なくとも１つのコードチャネル上で、アップリンクグラント情報を有するチャネルを監視する前記段階は、
前記ＵＥにより、時間識別子又はＵＥ識別子に従って、前記構成信号に含まれる複数のＨＳ−ＳＣＣＨの複数のコードチャネル番号から、各サブフレームにおいて監視される必要がある少なくとも１つのＨＳ−ＳＣＣＨのコードチャネル番号を決定する段階であって、前記時間識別子はフレーム番号及びサブフレーム番号のうち少なくとも１つを含む、決定する段階と、
前記ＵＥにより、前記少なくとも１つのＨＳ−ＳＣＣＨの決定された前記コードチャネル番号に対応するＨＳ−ＳＣＣＨコードチャネルのうち少なくとも１つのコードサブチャネル上で、前記アップリンクグラント情報を有する前記チャネルを監視する段階と、
を有する、
請求項２又は３に記載の方法。
【請求項５】
前記アップリンクグラント情報を有する前記チャネルのチャネルフォーマットが、ＨＳ−ＳＣＣＨのチャネルフォーマットと同一である場合に、前記ＵＥにより、前記構成信号に従って、前記ダウンリンク制御チャネルのうち少なくとも１つのコードチャネル上で、アップリンクグラント情報を有するチャネルを監視する前記段階は、
ＨＳ−ＳＣＣＨが、前記構成信号に従って、ＨＳ−ＳＣＣＨコードチャネル上で監視することにより取得される場合に、前記ＵＥにより、前記ＨＳ−ＳＣＣＨが状態を有するアップリンクグラント情報を満たすか否かを検出する段階と、
検出結果が、前記ＨＳ−ＳＣＣＨは状態を有する前記アップリンクグラント情報を満たすという場合に、監視することにより取得された前記ＨＳ−ＳＣＣＨは前記アップリンクグラント情報を有する前記チャネルであることを決定する段階と、
を有する、
請求項２に記載の方法。
【請求項６】
前記検出結果は、状態を有する前記アップリンクグラント情報を前記ＨＳ−ＳＣＣＨが満たすということは、
前記検出結果は、ネットワークデバイスによって予め構成された無線ネットワーク一時識別子ＲＮＴＩを前記ＨＳ−ＳＣＣＨが含むということ、又は、
前記検出結果は、監視することにより取得された前記ＨＳ−ＳＣＣＨの前記ＨＳ−ＳＣＣＨコードチャネルのコードチャネル番号が予め構成されたコードチャネル番号であるということ、又は、
前記検出結果は、前記ＨＳ−ＳＣＣＨの予め設定されたビットのビット値が予め定められたビット値と同一であるということを含む、
請求項５に記載の方法。
【請求項７】
ユーザ機器（ＵＥ）であって、
構成信号を取得する取得ユニットであって、前記構成信号はダウンリンク制御チャネルのコードチャネル番号を含む、取得ユニットと、
前記取得ユニットによって取得された前記構成信号に従って、前記ダウンリンク制御チャネルのうち少なくとも１つのコードチャネル上で、アップリンクグラント情報を有するチャネルを監視する監視ユニットと、
を備える、
ＵＥ。
【請求項８】
前記ダウンリンク制御チャネルはＨＳ−ＳＣＣＨであり、
前記アップリンクグラント情報を有する前記チャネルは、
チャネルフォーマットが拡張専用チャネル絶対グラントチャネル（Ｅ−ＡＧＣＨ）のチャネルフォーマットと同一であるチャネル、又はチャネルフォーマットがＨＳ−ＳＣＣＨのチャネルフォーマットと同一であるチャネルを有する、
請求項７に記載のＵＥ。
【請求項９】
前記アップリンクグラント情報を有する前記チャネルのチャネルフォーマットが、Ｅ−ＡＧＣＨのチャネルフォーマットと同一である場合に、前記監視ユニットは、次の複数のサブユニットのうち少なくとも１つを有し、
前記複数のサブユニットは、
前記構成信号に含まれる、全てのＨＳ−ＳＣＣＨの複数のコードチャネル番号に従って、前記全てのＨＳ−ＳＣＣＨの前記複数のコードチャネル番号に対応する複数のコードチャネルの全てのコードサブチャネル上で、前記アップリンクグラント情報を有する前記チャネルを監視する第１監視サブユニットと、
ネットワークデバイスによって送信された通知信号に示される前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上で、前記アップリンクグラント情報を有する前記チャネルを監視する第２監視サブユニットと、
前記ＵＥ及びネットワークデバイスによって事前に合意された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上で、前記アップリンクグラント情報を有する前記チャネルを監視する第３監視サブユニットとである、
請求項８に記載のＵＥ。
【請求項１０】
前記アップリンクグラント情報を有する前記チャネルのチャネルフォーマットが、Ｅ−ＡＧＣＨのチャネルフォーマットと同一である場合に、前記監視ユニットは、
時間識別子又はＵＥ識別子に従って、前記構成信号に含まれる、複数のＨＳ−ＳＣＣＨの複数のコードチャネル番号から、各サブフレームにおいて監視される必要がある少なくとも１つのＨＳ−ＳＣＣＨのコードチャネル番号を決定するコードチャネル番号決定サブユニットであって、前記時間識別子はフレーム番号及びサブフレーム番号のうち少なくとも１つを含む、コードチャネル番号決定サブユニットと、
前記コードチャネル番号決定サブユニットによって決定された前記少なくとも１つのＨＳ−ＳＣＣＨの前記コードチャネル番号に対応するＨＳ−ＳＣＣＨコードチャネルのうち少なくとも１つのコードサブチャネル上で、前記アップリンクグラント情報を有する前記チャネルを監視する第４監視サブユニットと、
を有する、
請求項８又は９に記載のＵＥ。
【請求項１１】
前記アップリンクグラント情報を有する前記チャネルのチャネルフォーマットが、ＨＳ−ＳＣＣＨのチャネルフォーマットと同一である場合に、前記監視ユニットは、
前記構成信号に従って、ＨＳ−ＳＣＣＨコードチャネル上でＨＳ−ＳＣＣＨを監視する第５監視サブユニットと、
前記第５監視サブユニットによって監視することにより取得された前記ＨＳ−ＳＣＣＨが、状態を有するアップリンクグラント情報を満たすか否かを検出する状態検出サブユニットと、
前記状態検出サブユニットの検出結果が、前記ＨＳ−ＳＣＣＨは状態を有する前記アップリンクグラント情報を満たすという場合に、監視することにより取得された前記ＨＳ−ＳＣＣＨは前記アップリンクグラント情報を有する前記チャネルであると決定するチャネル決定サブユニットと、
を有する、
請求項８に記載のＵＥ。
【請求項１２】
前記検出結果は、状態を有する前記アップリンクグラント情報を前記ＨＳ−ＳＣＣＨが満たすということは、
前記検出結果は、ネットワークデバイスによって予め構成された無線ネットワーク一時識別子（ＲＮＴＩ）を前記ＨＳ−ＳＣＣＨが含むということ、又は、
前記検出結果は、監視することにより取得された前記ＨＳ−ＳＣＣＨの前記ＨＳ−ＳＣＣＨコードチャネルのコードチャネル番号が予め構成されたコードチャネル番号であるということ、又は、
前記検出結果は、前記ＨＳ−ＳＣＣＨの予め設定されたビットのビット値が予め定められたビット値と同一であるということを含む、
請求項１１に記載のＵＥ。
【請求項１３】
アップリンクグラント情報を取得するための方法であって、前記方法は、
基地局により構成信号を取得する段階であって、前記構成信号は、ＵＥが監視する必要があるダウンリンク制御チャネルのコードチャネル番号を含む、取得する段階と、
前記基地局により、前記構成信号に従って、前記ダウンリンク制御チャネルのうち少なくとも１つのコードチャネル上に、前記ＵＥのアップリンクグラント情報を有するチャネルを送信する段階であって、これにより、前記ＵＥは、前記ダウンリンク制御チャネルのうち前記少なくとも１つのコードチャネル上で、前記アップリンクグラント情報を有する前記チャネルを監視する、送信する段階と、
を備える、
方法。
【請求項１４】
前記ダウンリンク制御チャネルは、高速共有制御チャネル（ＨＳ−ＳＣＣＨ）であり、
前記アップリンクグラント情報を有する前記チャネルは、
チャネルフォーマットが拡張専用チャネル絶対グラントチャネル（Ｅ−ＡＧＣＨ）のチャネルフォーマットと同一であるチャネル、又はチャネルフォーマットがＨＳ−ＳＣＣＨのチャネルフォーマットと同一であるチャネルを有する、
請求項１３に記載の方法。
【請求項１５】
前記ＵＥの前記アップリンクグラント情報を有する前記チャネルのチャネルフォーマットが、Ｅ−ＡＧＣＨのチャネルフォーマットと同一である場合に、前記基地局により、前記構成信号に従って、前記ダウンリンク制御チャネルのうち少なくとも１つのコードチャネル上に、前記ＵＥのアップリンクグラント情報を有するチャネルを送信する前記段階は、
前記基地局により、前記構成信号に含まれる、全てのＨＳ−ＳＣＣＨの複数のコードチャネル番号に従って、前記全てのＨＳ−ＳＣＣＨの前記コードチャネル番号に対応する複数のコードチャネルの全てのコードサブチャネル上に、前記ＵＥの前記アップリンクグラント情報を有する前記チャネルを送信する段階、又は、
前記基地局により、前記ＵＥに送信された通知信号に示された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上に、前記ＵＥの前記アップリンクグラント情報を有する前記チャネルを送信する段階、又は、
前記基地局により、前記基地局及び前記ＵＥによって事前に合意された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上に、前記ＵＥの前記アップリンクグラント情報を有する前記チャネルを送信する段階を有する、
請求項１４に記載の方法。
【請求項１６】
前記アップリンクグラント情報を有する前記チャネルのチャネルフォーマットが、Ｅ−ＡＧＣＨのチャネルフォーマットと同一である場合に、前記基地局により、前記構成信号に従って、前記ダウンリンク制御チャネルのうち少なくとも１つのコードチャネル上に、前記ＵＥのアップリンクグラント情報を有するチャネルを送信する前記段階は、
前記基地局により、前記ＵＥの時間識別子又はＵＥ識別子に従って、前記構成信号に含まれる複数のＨＳ−ＳＣＣＨの複数のコードチャネル番号から、各サブフレームにおいて前記ＵＥが監視する必要がある少なくとも１つのＨＳ−ＳＣＣＨのコードチャネル番号を決定する段階であって、前記時間識別子は、フレーム番号及びサブフレーム番号のうち少なくとも１つを含む、決定する段階と、
前記基地局により、前記少なくとも１つのＨＳ−ＳＣＣＨの決定された前記コードチャネル番号に対応するＨＳ−ＳＣＣＨコードチャネルのうち少なくとも１つのコードサブチャネル上に、前記ＵＥの前記アップリンクグラント情報を有する前記チャネルを送信する段階と、
を有する、
請求項１４又は１５に記載の方法。
【請求項１７】
前記アップリンクグラント情報を有する前記チャネルのチャネルフォーマットが、ＨＳ−ＳＣＣＨのチャネルフォーマットと同一である場合に、前記基地局により、前記構成信号に従って、前記ダウンリンク制御チャネルのうち少なくとも１つのコードチャネル上に、前記ＵＥのアップリンクグラント情報を有するチャネルを送信する前記段階は、
前記基地局により、前記ＵＥの前記アップリンクグラント情報を有するのに用いられるＨＳ−ＳＣＣＨを生成する段階であって、前記ＨＳ−ＳＣＣＨは、状態を有するアップリンクグラント情報を満たす、生成する段階と、
前記基地局により、前記構成信号に従って、ＨＳ−ＳＣＣＨコードチャネル上に、前記ＵＥの前記アップリンクグラント情報を有するのに用いられる前記ＨＳ−ＳＣＣＨを送信する段階と、
を有する、
請求項１４に記載の方法。
【請求項１８】
前記ＨＳ−ＳＣＣＨが状態を有するアップリンクグラント情報を満たすということは、
前記ＨＳ−ＳＣＣＨが予め構成された無線ネットワーク一時識別子（ＲＮＴＩ）を含むということ、又は、
前記ＨＳ−ＳＣＣＨのＨＳ−ＳＣＣＨコードチャネルのコードチャネル番号が予め構成されたコードチャネル番号であること、又は、
前記ＨＳ−ＳＣＣＨの予め設定されたビットのビット値が予め定められたビット値と同一であることを含む、
請求項１７に記載の方法。
【請求項１９】
構成信号を取得する取得ユニットであって、前記構成信号は、ＵＥが監視する必要があるダウンリンク制御チャネルのコードチャネル番号を含む、取得ユニットと、
前記取得ユニットによって取得された前記構成信号に従って、前記ダウンリンク制御チャネルのうち少なくとも１つのコードチャネル上に、前記ＵＥのアップリンクグラント情報を有するチャネルを送信する送信ユニットであって、これにより、前記ＵＥは、前記ダウンリンク制御チャネルの前記少なくとも１つのコードチャネル上で、前記アップリンクグラント情報を有する前記チャネルを監視する、送信ユニットと、
を備える、
基地局。
【請求項２０】
前記ダウンリンク制御チャネルは高速共有制御チャネル（ＨＳ−ＳＣＣＨ）であり、
前記アップリンクグラント情報を有する前記チャネルは、
チャネルフォーマットが拡張専用チャネル絶対グラントチャネル（Ｅ−ＡＧＣＨ）のチャネルフォーマットと同一であるチャネル、又はチャネルフォーマットがＨＳ−ＳＣＣＨのチャネルフォーマットと同一であるチャネルを有する、
請求項１９に記載の基地局。
【請求項２１】
前記ＵＥの前記アップリンクグラント情報を有する前記チャネルのチャネルフォーマットが、Ｅ−ＡＧＣＨのチャネルフォーマットと同一である場合に、前記送信ユニットは、次の複数のサブユニットのうち少なくとも１つを有し、
前記複数のサブユニットは、
前記構成信号に含まれる、全てのＨＳ−ＳＣＣＨの複数のコードチャネル番号に従って、前記全てのＨＳ−ＳＣＣＨの前記複数のコードチャネル番号に対応する複数のコードチャネルの全てのコードサブチャネル上に、前記ＵＥの前記アップリンクグラント情報を有する前記チャネルを送信する第１送信サブユニットと、
前記ＵＥに送信された通知信号に示された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上に、前記ＵＥの前記アップリンクグラント情報を有する前記チャネルを送信する第２送信サブユニットと、
前記基地局及び前記ＵＥによって事前に合意された前記構成信号の中の、少なくとも１つのＨＳ−ＳＣＣＨのコードチャネル番号に従って、前記少なくとも１つのＨＳ−ＳＣＣＨの前記コードチャネル番号に対応するＨＳ−ＳＣＣＨコードチャネルのうち少なくとも１つのコードサブチャネル上に、前記ＵＥの前記アップリンクグラント情報を有する前記チャネルを送信する第３送信サブユニットとである、
請求項２０に記載の基地局。
【請求項２２】
前記アップリンクグラント情報を有する前記チャネルのチャネルフォーマットが、Ｅ−ＡＧＣＨのチャネルフォーマットと同一である場合に、前記送信ユニットは、
前記ＵＥの時間識別子又はＵＥ識別子に従って、前記構成信号に含まれる、複数のＨＳ−ＳＣＣＨの複数のコードチャネル番号から、各サブフレームにおいて前記ＵＥが監視する必要がある、少なくとも１つのＨＳ−ＳＣＣＨのコードチャネル番号を決定するコードチャネル番号決定サブユニットであって、前記時間識別子はフレーム番号及びサブフレーム番号のうち少なくとも１つを含む、コードチャネル番号決定サブユニットと、
前記コードチャネル番号決定サブユニットによって決定された、前記少なくとも１つのＨＳ−ＳＣＣＨの前記コードチャネル番号に対応するＨＳ−ＳＣＣＨコードチャネルのうち少なくとも１つのコードサブチャネル上に、前記ＵＥの前記アップリンクグラント情報を有する前記チャネルを送信する第４送信サブユニットと、
を有する、
請求項２０又は２１に記載の基地局。
【請求項２３】
前記アップリンクグラント情報を有する前記チャネルのチャネルフォーマットが、ＨＳ−ＳＣＣＨのチャネルフォーマットと同一である場合に、前記送信ユニットは、
前記ＵＥの前記アップリンクグラント情報を有するのに用いられるＨＳ−ＳＣＣＨを生成するチャネル生成サブユニットであって、前記ＨＳ−ＳＣＣＨは、状態を有するアップリンクグラント情報を満たす、チャネル生成サブユニットと、
前記チャネル生成サブユニットによって生成され、且つ前記ＵＥの前記アップリンクグラント情報を有するのに用いられる前記ＨＳ−ＳＣＣＨを、ＨＳ−ＳＣＣＨコードチャネル上に、前記構成信号に従って送信する第５送信サブユニットと、
を有する、
請求項２０に記載の基地局。
【請求項２４】
前記ＨＳ−ＳＣＣＨが状態を有するアップリンクグラント情報を満たすということは、
前記ＨＳ−ＳＣＣＨが予め構成された無線ネットワーク一時識別子（ＲＮＴＩ）を含むということ、又は、
前記ＨＳ−ＳＣＣＨのＨＳ−ＳＣＣＨコードチャネルのコードチャネル番号が予め構成されたコードチャネル番号であること、又は、
前記ＨＳ−ＳＣＣＨの予め設定されたビットのビット値が予め定められたビット値と同一であることを含む、
請求項２３に記載の基地局。
【手続補正２】
【補正対象書類名】明細書
【補正対象項目名】０２５６
【補正方法】変更
【補正の内容】
【０２５６】
先述の複数の説明は、本発明の複数の実装態様であるが、本発明の保護範囲を制限することを意図したものではない。本発明の本質から逸脱することなく成された、いかなる変形、均等置換、及び改良も本発明の保護範囲に含まれるものとする。
（項目１）
アップリンクグラント情報を取得するための方法であって、上記方法は、
ユーザ機器ＵＥにより、構成信号を取得する段階であって、上記構成信号はダウンリンク制御チャネルのコードチャネル番号を含む、取得する段階と、
上記ＵＥにより、上記構成信号に従って、上記ダウンリンク制御チャネルのうち少なくとも１つのコードチャネル上でアップリンクグラント情報を有するチャネルを監視する段階と、
を備える、
方法。
（項目２）
上記ダウンリンク制御チャネルは、高速共有制御チャネルＨＳ−ＳＣＣＨであり、
上記アップリンクグラント情報を有する上記チャネルは、
チャネルフォーマットが拡張専用チャネル絶対グラントチャネルＥ−ＡＧＣＨのチャネルフォーマットと同一であるチャネル、又はチャネルフォーマットがＨＳ−ＳＣＣＨのチャネルフォーマットと同一であるチャネルを有する、
項目１に記載の方法。
（項目３）
上記アップリンクグラント情報を有する上記チャネルのチャネルフォーマットが、Ｅ−ＡＧＣＨのチャネルフォーマットと同一である場合に、上記ＵＥにより、上記構成信号に従って、上記ダウンリンク制御チャネルのうち少なくとも１つのコードチャネル上で、アップリンクグラント情報を有するチャネルを監視する上記段階は、
上記ＵＥにより、上記構成信号に含まれる、全てのＨＳ−ＳＣＣＨの複数のコードチャネル番号に従って、上記全てのＨＳ−ＳＣＣＨの上記複数のコードチャネル番号に対応する複数のコードチャネルの全てのコードサブチャネル上で、上記アップリンクグラント情報を有する上記チャネルを監視する段階、又は、
上記ＵＥにより、ネットワークデバイスによって送信された通知信号に示される上記構成信号の中の、少なくとも１つのＨＳ−ＳＣＣＨのコードチャネル番号に従って、上記少なくとも１つのＨＳ−ＳＣＣＨの上記コードチャネル番号に対応するＨＳ−ＳＣＣＨコードチャネルのうち少なくとも１つのコードサブチャネル上で、上記アップリンクグラント情報を有する上記チャネルを監視する段階、又は、
上記ＵＥにより、上記ＵＥ及びネットワークデバイスによって事前に合意された上記構成信号の中の、少なくとも１つのＨＳ−ＳＣＣＨのコードチャネル番号に従って、上記少なくとも１つのＨＳ−ＳＣＣＨの上記コードチャネル番号に対応するＨＳ−ＳＣＣＨコードチャネルのうち少なくとも１つのコードサブチャネル上で、上記アップリンクグラント情報を有する上記チャネルを監視する段階を含む、
項目２に記載の方法。
（項目４）
上記アップリンクグラント情報を有する上記チャネルのチャネルフォーマットが、Ｅ−ＡＧＣＨのチャネルフォーマットと同一である場合に、上記ＵＥにより、上記構成信号に従って、上記ダウンリンク制御チャネルのうち少なくとも１つのコードチャネル上で、アップリンクグラント情報を有するチャネルを監視する上記段階は、
上記ＵＥにより、時間識別子又はＵＥ識別子に従って、上記構成信号に含まれる複数のＨＳ−ＳＣＣＨの複数のコードチャネル番号から、各サブフレームにおいて監視される必要がある少なくとも１つのＨＳ−ＳＣＣＨのコードチャネル番号を決定する段階であって、上記時間識別子はフレーム番号及び／又はサブフレーム番号を含む、決定する段階と、
上記ＵＥにより、上記少なくとも１つのＨＳ−ＳＣＣＨの決定された上記コードチャネル番号に対応するＨＳ−ＳＣＣＨコードチャネルのうち少なくとも１つのコードサブチャネル上で、上記アップリンクグラント情報を有する上記チャネルを監視する段階と、
を有する、
項目２に記載の方法。
（項目５）
上記アップリンクグラント情報を有する上記チャネルのチャネルフォーマットが、ＨＳ−ＳＣＣＨのチャネルフォーマットと同一である場合に、上記ＵＥにより、上記構成信号に従って、上記ダウンリンク制御チャネルのうち少なくとも１つのコードチャネル上で、アップリンクグラント情報を有するチャネルを監視する上記段階は、
ＨＳ−ＳＣＣＨが、上記構成信号に従って、ＨＳ−ＳＣＣＨコードチャネル上で監視することにより取得される場合に、上記ＵＥにより、上記ＨＳ−ＳＣＣＨが状態を有するアップリンクグラント情報を満たすか否かを検出する段階と、
検出結果が、上記ＨＳ−ＳＣＣＨは状態を有する上記アップリンクグラント情報を満たすという場合に、監視することにより取得された上記ＨＳ−ＳＣＣＨは上記アップリンクグラント情報を有する上記チャネルであることを決定する段階と、
を有する、
項目２に記載の方法。
（項目６）
上記検出結果は、状態を有する上記アップリンクグラント情報を上記ＨＳ−ＳＣＣＨが満たすということは、
上記検出結果は、ネットワークデバイスによって予め構成された無線ネットワーク一時識別子ＲＮＴＩを上記ＨＳ−ＳＣＣＨが含むということ、又は、
上記検出結果は、監視することにより取得された上記ＨＳ−ＳＣＣＨの上記ＨＳ−ＳＣＣＨコードチャネルのコードチャネル番号が予め構成されたコードチャネル番号であるということ、又は、
上記検出結果は、上記ＨＳ−ＳＣＣＨの予め設定されたビットのビット値が予め定められたビット値と同一であるということを含む、
項目５に記載の方法。
（項目７）
ユーザ機器ＵＥであって、
構成信号を取得するよう構成された取得ユニットであって、上記構成信号はダウンリンク制御チャネルのコードチャネル番号を含む、取得ユニットと、
上記取得ユニットによって取得された上記構成信号に従って、上記ダウンリンク制御チャネルのうち少なくとも１つのコードチャネル上で、アップリンクグラント情報を有するチャネルを監視するよう構成された監視ユニットと、
を備える、
ＵＥ。
（項目８）
上記ダウンリンク制御チャネルはＨＳ−ＳＣＣＨであり、
上記アップリンクグラント情報を有する上記チャネルは、
チャネルフォーマットが拡張専用チャネル絶対グラントチャネルＥ−ＡＧＣＨのチャネルフォーマットと同一であるチャネル、又はチャネルフォーマットがＨＳ−ＳＣＣＨのチャネルフォーマットと同一であるチャネルを有する、
項目７に記載のＵＥ。
（項目９）
上記アップリンクグラント情報を有する上記チャネルのチャネルフォーマットが、Ｅ−ＡＧＣＨのチャネルフォーマットと同一である場合に、上記監視ユニットは、次の複数のサブユニットのうち少なくとも１つを有し、
上記複数のサブユニットは、
上記構成信号に含まれる、全てのＨＳ−ＳＣＣＨの複数のコードチャネル番号に従って、上記全てのＨＳ−ＳＣＣＨの上記複数のコードチャネル番号に対応する複数のコードチャネルの全てのコードサブチャネル上で、上記アップリンクグラント情報を有する上記チャネルを監視するよう構成された第１監視サブユニットと、
ネットワークデバイスによって送信された通知信号に示される上記構成信号の中の、少なくとも１つのＨＳ−ＳＣＣＨのコードチャネル番号に従って、上記少なくとも１つのＨＳ−ＳＣＣＨの上記コードチャネル番号に対応するＨＳ−ＳＣＣＨコードチャネルのうち少なくとも１つのコードサブチャネル上で、上記アップリンクグラント情報を有する上記チャネルを監視するよう構成された第２監視サブユニットと、
上記ＵＥ及びネットワークデバイスによって事前に合意された上記構成信号の中の、少なくとも１つのＨＳ−ＳＣＣＨのコードチャネル番号に従って、上記少なくとも１つのＨＳ−ＳＣＣＨの上記コードチャネル番号に対応するＨＳ−ＳＣＣＨコードチャネルのうち少なくとも１つのコードサブチャネル上で、上記アップリンクグラント情報を有する上記チャネルを監視するよう構成された第３監視サブユニットとである、
項目８に記載のＵＥ。
（項目１０）
上記アップリンクグラント情報を有する上記チャネルのチャネルフォーマットが、Ｅ−ＡＧＣＨのチャネルフォーマットと同一である場合に、上記監視ユニットは、
時間識別子又はＵＥ識別子に従って、上記構成信号に含まれる、複数のＨＳ−ＳＣＣＨの複数のコードチャネル番号から、各サブフレームにおいて監視される必要がある少なくとも１つのＨＳ−ＳＣＣＨのコードチャネル番号を決定するよう構成されたコードチャネル番号決定サブユニットであって、上記時間識別子はフレーム番号及び／又はサブフレーム番号を含む、コードチャネル番号決定サブユニットと、
上記コードチャネル番号決定サブユニットによって決定された上記少なくとも１つのＨＳ−ＳＣＣＨの上記コードチャネル番号に対応するＨＳ−ＳＣＣＨコードチャネルのうち少なくとも１つのコードサブチャネル上で、上記アップリンクグラント情報を有する上記チャネルを監視するよう構成された第４監視サブユニットと、
を有する、
項目８に記載のＵＥ。
（項目１１）
上記アップリンクグラント情報を有する上記チャネルのチャネルフォーマットが、ＨＳ−ＳＣＣＨのチャネルフォーマットと同一である場合に、上記監視ユニットは、
上記構成信号に従って、ＨＳ−ＳＣＣＨコードチャネル上でＨＳ−ＳＣＣＨを監視するよう構成された第５監視サブユニットと、
上記第５監視サブユニットによって監視することにより取得された上記ＨＳ−ＳＣＣＨが、状態を有するアップリンクグラント情報を満たすか否かを検出するよう構成された状態検出サブユニットと、
上記状態検出サブユニットの検出結果が、上記ＨＳ−ＳＣＣＨは状態を有する上記アップリンクグラント情報を満たすという場合に、監視することにより取得された上記ＨＳ−ＳＣＣＨは上記アップリンクグラント情報を有する上記チャネルであると決定するよう構成されたチャネル決定サブユニットと、
を有する、
項目２に記載のＵＥ。
（項目１２）
上記検出結果は、状態を有する上記アップリンクグラント情報を上記ＨＳ−ＳＣＣＨが満たすということは、
上記検出結果は、ネットワークデバイスによって予め構成された無線ネットワーク一時識別子ＲＮＴＩを上記ＨＳ−ＳＣＣＨが含むということ、又は、
上記検出結果は、監視することにより取得された上記ＨＳ−ＳＣＣＨの上記ＨＳ−ＳＣＣＨコードチャネルのコードチャネル番号が予め構成されたコードチャネル番号であるということ、又は、
上記検出結果は、上記ＨＳ−ＳＣＣＨの予め設定されたビットのビット値が予め定められたビット値と同一であるということを含む、
項目１１に記載のＵＥ。
（項目１３）
ユーザ機器ＵＥであって、
上記ＵＥは無線送信機及びプロセッサを備え、
上記無線送信機は、構成信号を取得するよう構成され、上記構成信号は、ダウンリンク制御チャネルのコードチャネル番号を含み、
上記プロセッサは、上記構成信号に従って、上記ダウンリンク制御チャネルのうち少なくとも１つのコードチャネル上で、アップリンクグラント情報を有するチャネルを監視するよう構成される、
ＵＥ。
（項目１４）
上記ダウンリンク制御チャネルは高速共有制御チャネルＨＳ−ＳＣＣＨであり、
上記アップリンクグラント情報を有する上記チャネルは、
チャネルフォーマットが拡張専用チャネル絶対グラントチャネルＥ−ＡＧＣＨのチャネルフォーマットと同一であるチャネル、又はチャネルフォーマットがＨＳ−ＳＣＣＨのチャネルフォーマットと同一であるチャネルを含む、
項目１３に記載のＵＥ。
（項目１５）
上記プロセッサは、
上記アップリンクグラント情報を有する上記チャネルのチャネルフォーマットが、Ｅ−ＡＧＣＨのチャネルフォーマットと同一である場合に、次の複数のやり方のうち少なくとも１つにより、上記構成信号に従って、上記ダウンリンク制御チャネルのうち上記少なくとも１つのコードチャネル上で、上記アップリンクグラント情報を有する上記チャネルを監視するよう特に構成され、
上記複数のやり方は、
上記構成信号に含まれる、全てのＨＳ−ＳＣＣＨの複数の複数のコードチャネル番号に従って、上記全てのＨＳ−ＳＣＣＨの上記コードチャネル番号に対応する複数のコードチャネルの全てのコードサブチャネル上で、上記アップリンクグラント情報を有する上記チャネルを監視するやり方と、
ネットワークデバイスによって送信された通知信号に示された上記構成信号の中の、少なくとも１つのＨＳ−ＳＣＣＨのコードチャネル番号に従って、上記少なくとも１つのＨＳ−ＳＣＣＨの上記コードチャネル番号に対応するＨＳ−ＳＣＣＨコードチャネルのうち少なくとも１つのコードサブチャネル上で、上記アップリンクグラント情報を有する上記チャネルを監視するやり方と、
上記ＵＥ及びネットワークデバイスによって事前に合意された上記構成信号の中の、少なくとも１つのＨＳ−ＳＣＣＨのコードチャネル番号に従って、上記少なくとも１つのＨＳ−ＳＣＣＨの上記コードチャネル番号に対応するＨＳ−ＳＣＣＨコードチャネルのうち少なくとも１つのコードサブチャネル上で、上記アップリンクグラント情報を有する上記チャネルを監視するやり方とである、
項目１４に記載のＵＥ。
（項目１６）
上記プロセッサは、
上記アップリンクグラント情報を有する上記チャネルのチャネルフォーマットが、Ｅ−ＡＧＣＨのチャネルフォーマットと同一である場合に、時間識別子又はＵＥ識別子に従って、上記構成信号に含まれる複数のＨＳ−ＳＣＣＨの複数のコードチャネル番号から、各サブフレームにおいて監視される必要がある少なくとも１つのＨＳ−ＳＣＣＨのコードチャネル番号を決定して、上記少なくとも１つのＨＳ−ＳＣＣＨの決定された上記コードチャネル番号に対応するＨＳ−ＳＣＣＨコードチャネルのうち少なくとも１つのコードサブチャネル上で、上記アップリンクグラント情報を有する上記チャネルを監視するよう特に構成され、
上記時間識別子は、フレーム番号及び／又はサブフレーム番号を含む、
項目１４に記載のＵＥ。
（項目１７）
上記プロセッサは、
上記アップリンクグラント情報を有する上記チャネルのチャネルフォーマットが、ＨＳ−ＳＣＣＨのチャネルフォーマットと同一である場合に、ＨＳ−ＳＣＣＨが、上記構成信号に従って、ＨＳ−ＳＣＣＨコードチャネル上で監視することにより取得されると、上記ＨＳ−ＳＣＣＨが状態を有するアップリンクグラント情報を満たすか否かを検出し、
検出結果が、上記ＨＳ−ＳＣＣＨは状態を有する上記アップリンクグラント情報を満たすという場合に、監視することにより取得された上記ＨＳ−ＳＣＣＨは上記アップリンクグラント情報を有する上記チャネルであると決定するよう特に構成される、
項目１４に記載のＵＥ。
（項目１８）
上記検出結果は、状態を有する上記アップリンクグラント情報を上記ＨＳ−ＳＣＣＨが満たすということは、
上記検出結果は、ネットワークデバイスによって予め構成された無線ネットワーク一時識別子ＲＮＴＩを上記ＨＳ−ＳＣＣＨが含むということ、又は、
上記検出結果は、監視することにより取得された上記ＨＳ−ＳＣＣＨの上記ＨＳ−ＳＣＣＨコードチャネルのコードチャネル番号が予め構成されたコードチャネル番号であるということ、又は、
上記検出結果は、上記ＨＳ−ＳＣＣＨの予め設定されたビットのビット値が予め定められたビット値と同一であるということを含む、
項目１７に記載のＵＥ。
（項目１９）
アップリンクグラント情報を取得するための方法であって、上記方法は、
基地局により構成信号を取得する段階であって、上記構成信号は、ＵＥが監視する必要があるダウンリンク制御チャネルのコードチャネル番号を含む、取得する段階と、
上記基地局により、上記構成信号に従って、上記ダウンリンク制御チャネルのうち少なくとも１つのコードチャネル上に、上記ＵＥのアップリンクグラント情報を有するチャネルを送信する段階であって、これにより、上記ＵＥは、上記ダウンリンク制御チャネルのうち上記少なくとも１つのコードチャネル上で、上記アップリンクグラント情報を有する上記チャネルを監視する、送信する段階と、
を備える、
方法。
（項目２０）
上記ダウンリンク制御チャネルは、高速共有制御チャネルＨＳ−ＳＣＣＨであり、
上記アップリンクグラント情報を有する上記チャネルは、
チャネルフォーマットが拡張専用チャネル絶対グラントチャネルＥ−ＡＧＣＨのチャネルフォーマットと同一であるチャネル、又はチャネルフォーマットがＨＳ−ＳＣＣＨのチャネルフォーマットと同一であるチャネルを有する、
項目１９に記載の方法。
（項目２１）
上記ＵＥの上記アップリンクグラント情報を有する上記チャネルのチャネルフォーマットが、Ｅ−ＡＧＣＨのチャネルフォーマットと同一である場合に、上記基地局により、上記構成信号に従って、上記ダウンリンク制御チャネルのうち少なくとも１つのコードチャネル上に、上記ＵＥのアップリンクグラント情報を有するチャネルを送信する上記段階は、
上記基地局により、上記構成信号に含まれる、全てのＨＳ−ＳＣＣＨの複数のコードチャネル番号に従って、上記全てのＨＳ−ＳＣＣＨの上記コードチャネル番号に対応する複数のコードチャネルの全てのコードサブチャネル上に、上記ＵＥの上記アップリンクグラント情報を有する上記チャネルを送信する段階、又は、
上記基地局により、上記ＵＥに送信された通知信号に示された上記構成信号の中の、少なくとも１つのＨＳ−ＳＣＣＨのコードチャネル番号に従って、上記少なくとも１つのＨＳ−ＳＣＣＨの上記コードチャネル番号に対応するＨＳ−ＳＣＣＨコードチャネルのうち少なくとも１つのコードサブチャネル上に、上記ＵＥの上記アップリンクグラント情報を有する上記チャネルを送信する段階、又は、
上記基地局により、上記基地局及び上記ＵＥによって事前に合意された上記構成信号の中の、少なくとも１つのＨＳ−ＳＣＣＨのコードチャネル番号に従って、上記少なくとも１つのＨＳ−ＳＣＣＨの上記コードチャネル番号に対応するＨＳ−ＳＣＣＨコードチャネルのうち少なくとも１つのコードサブチャネル上に、上記ＵＥの上記アップリンクグラント情報を有する上記チャネルを送信する段階を有する、
項目２０に記載の方法。
（項目２２）
上記アップリンクグラント情報を有する上記チャネルのチャネルフォーマットが、Ｅ−ＡＧＣＨのチャネルフォーマットと同一である場合に、上記基地局により、上記構成信号に従って、上記ダウンリンク制御チャネルのうち少なくとも１つのコードチャネル上に、上記ＵＥのアップリンクグラント情報を有するチャネルを送信する上記段階は、
上記基地局により、上記ＵＥの時間識別子又はＵＥ識別子に従って、上記構成信号に含まれる複数のＨＳ−ＳＣＣＨの複数のコードチャネル番号から、各サブフレームにおいて上記ＵＥが監視する必要がある少なくとも１つのＨＳ−ＳＣＣＨのコードチャネル番号を決定する段階であって、上記時間識別子は、フレーム番号及び／又はサブフレーム番号を含む、決定する段階と、
上記基地局により、上記少なくとも１つのＨＳ−ＳＣＣＨの決定された上記コードチャネル番号に対応するＨＳ−ＳＣＣＨコードチャネルのうち少なくとも１つのコードサブチャネル上に、上記ＵＥの上記アップリンクグラント情報を有する上記チャネルを送信する段階と、
を有する、
項目２０に記載の方法。
（項目２３）
上記アップリンクグラント情報を有する上記チャネルのチャネルフォーマットが、ＨＳ−ＳＣＣＨのチャネルフォーマットと同一である場合に、上記基地局により、上記構成信号に従って、上記ダウンリンク制御チャネルのうち少なくとも１つのコードチャネル上に、上記ＵＥのアップリンクグラント情報を有するチャネルを送信する上記段階は、
上記基地局により、上記ＵＥの上記アップリンクグラント情報を有するのに用いられるＨＳ−ＳＣＣＨを生成する段階であって、上記ＨＳ−ＳＣＣＨは、状態を有するアップリンクグラント情報を満たす、生成する段階と、
上記基地局により、上記構成信号に従って、ＨＳ−ＳＣＣＨコードチャネル上に、上記ＵＥの上記アップリンクグラント情報を有するのに用いられる上記ＨＳ−ＳＣＣＨを送信する段階と、
を有する、
項目２０に記載の方法。
（項目２４）
上記ＨＳ−ＳＣＣＨが状態を有するアップリンクグラント情報を満たすということは、
上記ＨＳ−ＳＣＣＨが予め構成された無線ネットワーク一時識別子ＲＮＴＩを含むということ、又は、
上記ＨＳ−ＳＣＣＨのＨＳ−ＳＣＣＨコードチャネルのコードチャネル番号が予め構成されたコードチャネル番号であること、又は、
上記ＨＳ−ＳＣＣＨの予め設定されたビットのビット値が予め定められたビット値と同一であることを含む、
項目２３に記載の方法。
（項目２５）
構成信号を取得するよう構成された取得ユニットであって、上記構成信号は、ＵＥが監視する必要があるダウンリンク制御チャネルのコードチャネル番号を含む、取得ユニットと、
上記取得ユニットによって取得された上記構成信号に従って、上記ダウンリンク制御チャネルのうち少なくとも１つのコードチャネル上に、上記ＵＥのアップリンクグラント情報を有するチャネルを送信するよう構成された送信ユニットであって、これにより、上記ＵＥは、上記ダウンリンク制御チャネルの上記少なくとも１つのコードチャネル上で、上記アップリンクグラント情報を有する上記チャネルを監視する、送信ユニットと
を備える、
基地局。
（項目２６）
上記ダウンリンク制御チャネルは高速共有制御チャネルＨＳ−ＳＣＣＨであり、
上記アップリンクグラント情報を有する上記チャネルは、
チャネルフォーマットが拡張専用チャネル絶対グラントチャネルＥ−ＡＧＣＨのチャネルフォーマットと同一であるチャネル、又はチャネルフォーマットがＨＳ−ＳＣＣＨのチャネルフォーマットと同一であるチャネルを有する、
項目２５に記載の基地局。
（項目２７）
上記ＵＥの上記アップリンクグラント情報を有する上記チャネルのチャネルフォーマットが、Ｅ−ＡＧＣＨのチャネルフォーマットと同一である場合に、上記送信ユニットは、次の複数のサブユニットのうち少なくとも１つを有し、
上記複数のサブユニットは、
上記構成信号に含まれる、全てのＨＳ−ＳＣＣＨの複数のコードチャネル番号に従って、上記全てのＨＳ−ＳＣＣＨの上記複数のコードチャネル番号に対応する複数のコードチャネルの全てのコードサブチャネル上に、上記ＵＥの上記アップリンクグラント情報を有する上記チャネルを送信するよう構成された第１送信サブユニットと、
上記ＵＥに送信された通知信号に示された上記構成信号の中の、少なくとも１つのＨＳ−ＳＣＣＨのコードチャネル番号に従って、上記少なくとも１つのＨＳ−ＳＣＣＨの上記コードチャネル番号に対応するＨＳ−ＳＣＣＨコードチャネルのうち少なくとも１つのコードサブチャネル上に、上記ＵＥの上記アップリンクグラント情報を有する上記チャネルを送信するよう構成された第２送信サブユニットと、
上記基地局及び上記ＵＥによって事前に合意された上記構成信号の中の、少なくとも１つのＨＳ−ＳＣＣＨのコードチャネル番号に従って、上記少なくとも１つのＨＳ−ＳＣＣＨの上記コードチャネル番号に対応するＨＳ−ＳＣＣＨコードチャネルのうち少なくとも１つのコードサブチャネル上に、上記ＵＥの上記アップリンクグラント情報を有する上記チャネルを送信するよう構成された第３送信サブユニットとである、
項目２６に記載の基地局。
（項目２８）
上記アップリンクグラント情報を有する上記チャネルのチャネルフォーマットが、Ｅ−ＡＧＣＨのチャネルフォーマットと同一である場合に、上記送信ユニットは、
上記ＵＥの時間識別子又はＵＥ識別子に従って、上記構成信号に含まれる、複数のＨＳ−ＳＣＣＨの複数のコードチャネル番号から、各サブフレームにおいて上記ＵＥが監視する必要がある、少なくとも１つのＨＳ−ＳＣＣＨのコードチャネル番号を決定するよう構成されたコードチャネル番号決定サブユニットであって、上記時間識別子はフレーム番号及び／又はサブフレーム番号を含む、コードチャネル番号決定サブユニットと、
上記コードチャネル番号決定サブユニットによって決定された、上記少なくとも１つのＨＳ−ＳＣＣＨの上記コードチャネル番号に対応するＨＳ−ＳＣＣＨコードチャネルのうち少なくとも１つのコードサブチャネル上に、上記ＵＥの上記アップリンクグラント情報を有する上記チャネルを送信するよう構成された第４送信サブユニットと、
を有する、
項目２６に記載の基地局。
（項目２９）
上記アップリンクグラント情報を有する上記チャネルのチャネルフォーマットが、ＨＳ−ＳＣＣＨのチャネルフォーマットと同一である場合に、上記送信ユニットは、
上記ＵＥの上記アップリンクグラント情報を有するのに用いられるＨＳ−ＳＣＣＨを生成するよう構成されたチャネル生成サブユニットであって、上記ＨＳ−ＳＣＣＨは、状態を有するアップリンクグラント情報を満たす、チャネル生成サブユニットと、
上記チャネル生成サブユニットによって生成され、且つ上記ＵＥの上記アップリンクグラント情報を有するのに用いられる上記ＨＳ−ＳＣＣＨを、ＨＳ−ＳＣＣＨコードチャネル上に、上記構成信号に従って送信するよう構成された第５送信サブユニットと、
を有する、
項目２６に記載の基地局。
（項目３０）
上記ＨＳ−ＳＣＣＨが状態を有するアップリンクグラント情報を満たすということは、
上記ＨＳ−ＳＣＣＨが予め構成された無線ネットワーク一時識別子ＲＮＴＩを含むということ、又は、
上記ＨＳ−ＳＣＣＨのＨＳ−ＳＣＣＨコードチャネルのコードチャネル番号が予め構成されたコードチャネル番号であること、又は、
上記ＨＳ−ＳＣＣＨの予め設定されたビットのビット値が予め定められたビット値と同一であることを含む、
項目２９に記載の基地局。
（項目３１）
送信機及びプロセッサを備える基地局であって、
上記送信機は、構成信号を取得するよう構成され、上記構成信号は、ＵＥが監視する必要があるダウンリンク制御チャネルのコードチャネル番号を含み、
上記プロセッサは、上記送信機を用いることにより、上記構成信号に従って、上記ダウンリンク制御チャネルのうち少なくとも１つのコードチャネル上に、上記ＵＥのアップリンクグラント情報を有するチャネルを送信するよう構成され、これにより、上記ＵＥは、上記ダウンリンク制御チャネルの上記少なくとも１つのコードチャネル上で、上記アップリンクグラント情報を有する上記チャネルを監視する、
基地局。
（項目３２）
上記ダウンリンク制御チャネルは高速共有制御チャネルＨＳ−ＳＣＣＨであり、
上記アップリンクグラント情報を有する上記チャネルは、
チャネルフォーマットが拡張専用チャネル絶対グラントチャネルＥ−ＡＧＣＨのチャネルフォーマットと同一であるチャネル、又はチャネルフォーマットがＨＳ−ＳＣＣＨのチャネルフォーマットと同一であるチャネルを有する、
項目３１に記載の基地局。
（項目３３）
上記プロセッサは、
上記アップリンクグラント情報を有する上記チャネルのチャネルフォーマットが、Ｅ−ＡＧＣＨのチャネルフォーマットと同一である場合に、次の複数のやり方のうち少なくとも１つにより、上記構成信号に従って、上記ダウンリンク制御チャネルのうち上記少なくとも１つのコードチャネル上に、上記送信機を用いることによって、上記ＵＥの上記アップリンクグラント情報を有する上記チャネルを送信するよう特に構成され、
上記複数のやり方は、
上記構成信号に含まれる、全てのＨＳ−ＳＣＣＨの複数のコードチャネル番号に従って、上記全てのＨＳ−ＳＣＣＨの上記複数のコードチャネル番号に対応する複数のコードチャネルの全てのコードサブチャネル上に、上記送信機を用いることによって、上記ＵＥの上記アップリンクグラント情報を有する上記チャネルを送信するやり方と、
上記基地局により、上記ＵＥに送信された通知信号に示された上記構成信号の中の、少なくとも１つのＨＳ−ＳＣＣＨのコードチャネル番号に従って、上記少なくとも１つのＨＳ−ＳＣＣＨの上記コードチャネル番号に対応するＨＳ−ＳＣＣＨコードチャネルのうち少なくとも１つのコードサブチャネル上に、上記送信機を用いることによって、上記ＵＥの上記アップリンクグラント情報を有する上記チャネルを送信するやり方と、
基地局により、上記基地局及び上記ＵＥによって事前に合意された上記構成信号の中の、少なくとも１つのＨＳ−ＳＣＣＨのコードチャネル番号に従って、上記少なくとも１つのＨＳ−ＳＣＣＨの上記コードチャネル番号に対応するＨＳ−ＳＣＣＨコードチャネルのうち少なくとも１つのコードサブチャネル上に、上記送信機を用いることによって、上記ＵＥの上記アップリンクグラント情報を有する上記チャネルを送信するやり方とである、
項目３２に記載の基地局。
（項目３４）
上記プロセッサは、
上記アップリンクグラント情報を有する上記チャネルのチャネルフォーマットが、Ｅ−ＡＧＣＨのチャネルフォーマットと同一である場合に、上記ＵＥの時間識別子又はＵＥ識別子に従って、上記構成信号の中に含まれた、複数のＨＳ−ＳＣＣＨの複数のコードチャネル番号から、各サブフレームにおいて上記ＵＥが監視する必要がある少なくとも１つのＨＳ−ＳＣＣＨのコードチャネル番号を決定して、上記少なくとも１つのＨＳ−ＳＣＣＨの決定された上記コードチャネル番号に対応するＨＳ−ＳＣＣＨコードチャネルのうち少なくとも１つのコードサブチャネル上に、上記送信機を用いることによって、上記ＵＥの上記アップリンクグラント情報を有する上記チャネルを送信するよう特に構成され、
上記時間識別子は、フレーム番号及び／又はサブフレーム番号を含む、
項目３２に記載の基地局。
（項目３５）
上記プロセッサは、
上記アップリンクグラント情報を有する上記チャネルのチャネルフォーマットが、ＨＳ−ＳＣＣＨのチャネルフォーマットと同一である場合に、上記ＵＥの上記アップリンクグラント情報を有するのに用いられるＨＳ−ＳＣＣＨを生成し、
上記ＵＥの上記アップリンクグラント情報を有するのに用いられる上記ＨＳ−ＳＣＣＨを、上記構成信号に従って、ＨＳ−ＳＣＣＨコードチャネル上に、上記送信機を用いることによって送信するよう特に構成され、
上記ＨＳ−ＳＣＣＨは、状態を有するアップリンクグラント情報を満たす、
項目３２に記載の基地局。
（項目３６）
上記ＨＳ−ＳＣＣＨが状態を有するアップリンクグラント情報を満たすということは、
上記ＨＳ−ＳＣＣＨが予め構成された無線ネットワーク一時識別子ＲＮＴＩを含むということ、又は、
上記ＨＳ−ＳＣＣＨのＨＳ−ＳＣＣＨコードチャネルのコードチャネル番号が予め構成されたコードチャネル番号であること、又は、
上記ＨＳ−ＳＣＣＨの予め設定されたビットのビット値が予め定められたビット値と同一であることを含む、
項目３５に記載の基地局。
【国際調査報告】
2016541176.tif 000012
2016541176.tif 000013
2016541176.tif 000014
2016541176.tif 000015